(57)【特許請求の範囲】
【請求項１】
人間の体に於ける所定部位に於ける所定の関節構造に近似した構造からなる疑似関節構造体であって、
当該疑似関節構造体は、関節頭がその一端部に形成されている第１の疑似骨部材と、関節窩がその一端部に形成されている第２の疑似骨部材とからなり、且つ当該第１と第２の疑似骨部材は、当該関節頭と当該関節窩とが相互に嵌合する様に相互に対向して近接配置されており、然も、当該第１と第２の疑似骨部材は、当該第１と第２の疑似骨部材の何れか一方の疑似骨部材の一部若しくは当該疑似骨部材に連接されている第１の補助支持部に、その一端部が固定され、その他端部が、当該他方の疑似骨部材の一部若しくは当該疑似骨部材に連接されている第２の補助支持部に固定されている適宜の連結部材及び／又は適宜の伸縮性弾発部材により、所定の押圧力の下で、相互に接圧せしめられており、更に、当該疑似関節構造体は、当該第１と第２の疑似骨部材が、当該両疑似骨部材間での脱臼状態を表示して静止する機能と、当該脱臼状態にある当該疑似関節構造体に於ける当該第１と第２の疑似骨部材の少なくとも一方を所定の力を印加させながら所定の方向に変位させるか旋回させる動作を印加することにより当該脱臼状態を整復させる機能と、を有しており、且つ当該連結部材及び／又は伸縮性弾発部材は、当該第１の疑似骨部材及び当該第２の疑似骨部材の少なくとも一方の内部空間内に配置されている事を特徴とする関節脱臼に対する整復操作を習得するための疑似関節構造体。
【請求項２】
当該関節頭及び当該関節窩の少なくとも一方に於ける表面部には、その外部空間部と当該関節頭或いは当該関節窩の内部空間と連結する、少なくとも一つの貫通穴部若しくは貫通溝部が設けられている事を特徴とする請求項１に記載の疑似関節構造体。
【請求項３】
当該疑似関節構造体が正常な関節形成状態を表示している場合に於いて、当該関節頭と当該関節窩のそれぞれに設けられている当該貫通穴部若しくは当該貫通溝部とは、当該関節頭と当該関節窩相互に嵌合する様に対向して近接接合配置されている部位若しくはその近傍の部位に設けられている事を特徴とする請求項２に記載の疑似関節構造体。
【請求項４】
当該伸縮性弾発部材又は当該連結部材は、当該関節頭の内部空間から当該関節頭の当該貫通穴部若しくは当該貫通溝部及び隣接配置されている当該関節窩の当該貫通穴部若しくは当該貫通溝部を介して当該関節窩の内部空間に、若しくはその逆方向に挿通せしめられている事を特徴とする請求項２又は３に記載の疑似関節構造体。
【請求項５】
当該関節頭と当該関節窩のそれぞれに設けられている当該貫通穴部若しくは当該貫通溝部は、少なくとも一つ設けられており、且つ当該貫通溝部は、当該疑似関節構造体の当該第１と第２の疑似骨部材間に於ける脱臼状態の方向性を指定する機能を有るものである事を特徴とする請求項２乃至４の何れかに記載の疑似関節構造体。
【請求項６】
当該関節頭又は当該関節窩の該表面部に設けられる当該貫通溝部が複数個設けられる場合には、当該個々の貫通溝部の配列方向が相互に異なっている事を特徴とする請求項５に記載の疑似関節構造体。
【請求項７】
当該疑似関節構造体が関節脱臼状態を表示している場合に於いて、当該伸縮性弾発部材若しくは当該連結部材の少なくとも一方は、当該第１と第２の疑似骨部材間に於ける当該関節頭と当該関節窩の少なくとも何れか一方に設けられている当該少なくとも一つの貫通溝部を経由して折り曲げられている事を特徴とする請求項４乃至６の何れかに記載の疑似関節構造体。
【請求項８】
当該疑似関節構造体内で使用される当該連結部材及び／又は当該伸縮性弾発部材を含む連結部材は、少なくとも1本である事を特徴とする請求項１乃至７の何れかに記載の疑似関節構造体。
【請求項９】
当該伸縮性弾発部材は、スプリングである事を特徴とする請求項１乃至８の何れかに記載の疑似関節構造体。
【請求項１０】
当該伸縮性弾発部材若しくは当該適宜の連結部材は、当該第１と第２の疑似骨部材の何れか一方の内部空間部若しくは、当該第１と第２の補助支持部の何れか一方に配置されている事を特徴とする請求項１乃至９の何れかに記載の疑似関節構造体。
【請求項１１】
当該適宜の連結部材の少なくとも一部は、当該疑似関節構造体の外部表面に配置されている事を特徴とする請求項１乃至１０の何れかに記載の疑似関節構造体。
【請求項１２】
当該疑似関節構造体の外部表面に配置されている当該適宜の連結部材は、靭帯の機能と類似した機能を発揮する様に構成されている事を特徴とする請求項１１に記載の疑似関節構造体。
【請求項１３】
当該伸縮性弾発部材の伸度、或いは伸長回復応力を適宜変更する為の調整手段が設けられている事を特徴とする請求項１乃至１２の何れかに記載の疑似関節構造体。
【請求項１４】
当該第１の疑似骨部材若しくは当該第２の疑似骨部材に設けられた当該伸縮性弾発部材の当該一端部が固定されている当該疑似骨部材の所定の部位の近傍に一端部が接合された補助線状体を配置し、当該補助線状体の他端部を当該伸縮性弾発部材の当該他端部に接合させた事を特徴とする請求項１乃至１３の何れかに記載の疑似関節構造体。
【請求項１５】
当該補助線状体は，靭帯の機能と類似した機能を発揮する様に構成されている事を特徴とする請求項１４に記載の疑似関節構造体。
【請求項１６】
当該1本の伸縮性弾発部材に対して、二本の当該連結部材を使用する当該疑似関節構造体に於いて、当該二本の当該連結部材としては、1本の連続状の連結部材を使用すると共に、当該伸縮性弾発部材の接続端部に於いて、滑車手段を配置し、当該1本の連続状の連結部材の略中央部を当該滑車手段に於いて折り返し状態にして連通させた事を特徴とする請求項1乃至１５の何れかに記載の疑似関節構造体。
【請求項１７】
当該２本の伸縮性弾発部材に対して、二本の当該連結部材を使用する当該疑似関節構造体に於いて、当該二本の当該連結部材としては、1本の連続状の連結部材を使用すると共に、当該それぞれの伸縮性弾発部材の接続端部に於いて、個別に滑車手段を配置し、当該1本の連続状の連結部材を、当該滑車手段群と当該関節頭又は当該関節窩との間で襷（たすき）掛け状にした折り返し状態にして連通させた事を特徴とする請求項1乃至１６の何れかに記載の疑似関節構造体。
【請求項１８】
当該疑似関節構造体が指疑似関節構造体であって、当該個々の指疑似関節部に於いては、実際の人体に於ける個々に対応するそれぞれの指を構成する、それぞれに規定された特定個数（複数個）の指疑似骨部材群のそれぞれに対応する指疑似骨部材群が、その中心線に沿って、略直列状に配置形成されており、且つ、当該それぞれの相互に隣接して配置されている個々の当該指疑似骨部材は、手の甲側に位置する第１の指疑似骨部材の近傍に配置された、当該伸縮性弾発部材に係合する当該連結部材の一方の端部と、当該各指部の先端部位に配置された第Ｎ番目の指疑似骨部材の先端部近傍に接合固定されている当該連結部材の他方の端部との間で、相互に接圧状態に置かれており、更に、当該それぞれの相互に隣接して配置されている個々の当該指疑似骨部材のそれぞれの接合端部に形成されている当該関節頭若しくは当該関節窩の少なくとも一部には、当該連結部の少なくとも一部が貫通する様に構成された少なくとも一つの貫通穴部若しくは貫通溝部が設けられている事を特徴とする請求項１至１７の何れかに記載の指疑似関節構造体。
【請求項１９】
疑似関節構造体が肘疑似関節構造体であって、当該肘疑似関節構造体は、関節頭と関節窩とが係合する関節係合部に対向する端部に、少なくとも一つの疑似上腕骨小頭と隣接して配置されている２個の膨出した疑似上腕骨滑車とが形成された一本の疑似上腕骨部と、それらに対向して、当該関節係合部に隣接配置されている、当該一方の疑似上腕骨滑車と係合する疑似関節環状面部をその一方の端部に有する疑似橈骨と、当該他方の疑似上腕骨滑車と係合する疑似滑車切痕をその一方の端部に有する疑似尺骨とで構成され、且つ当該両者が所望の接圧応力の下で相互に接合固定されていると共に、当該２個の膨出した疑似上腕骨滑車のそれぞれ及び当該疑似滑車切痕並びに当該疑似関節環状面部の略中央部或いはその近傍部に、その内部空間と外気とが連通する連通穴部が設けられると共に、当該連通穴部と接合するか或いは当該連通穴部の近傍部に所定の長さで所定の方向に形成されたその内部空間と外気とを連通する貫通溝部とが配置形成されており、更に、当該疑似上腕骨部の他方の端部に設けられた適宜の固定部材に、適宜の伸度、伸長特性を有するスプリング等からなる伸縮性弾発部材の一方の端部が係合固定されており、当該伸縮性弾発部材の他方の端部は、当該疑似橈骨と当該疑似尺骨の他方の端部に共通して設けられている適宜の固定部材に一方の端部が固定されている２本の線状連結部材のそれぞれの他方の端部と連結されており、且つ、当該２本の線状連結部材の一方の線状連結部材は、当該疑似尺骨の内部から当該疑似滑車切痕部の当該連通穴部及び又は当該貫通溝部を経由して且つ当該一方の疑似上腕骨滑車に於ける当該連通穴部及び又は当該貫通溝部を経由して当該伸縮性弾発部材の一方の端部に連結されており、一方、他方の線状連結部材は、当該疑似橈骨の内部から当該疑似関節環状面部の当該連通穴部及び又は当該貫通溝部を経由して且つ当該他方の疑似上腕骨滑車に於ける当該連通穴部及び又は当該貫通溝部を経由して当該伸縮性弾発部材の一方の端部に連結されている事を特徴とする肘疑似関節構造体。
【請求項２０】
当該２本の線状連結部材は、連続体で構成されている事を特徴とする請求項１９に記載の肘疑似関節構造体。
【請求項２１】
当該伸縮性弾発部材の一方の端部と当該線状連結部材との接合部に滑車手段が使用されている事を特徴とする請求項２０に記載の肘疑似関節構造体。
【請求項２２】
疑似関節構造体が肩疑似関節構造体であって、当該肩疑似関節構造体は、適宜の中空状内部形状を有する補助支持手段の一部の外表面に固定して取り付けられている凹状くぼみ部を外表面に有する関節窩を有する疑似肩甲骨と、当該関節窩と相互に係合嵌合する関節頭が一方の端部に形成されている疑似上腕骨部とから構成され、且つ当該両者が所望の接圧応力の下で相互に接合固定されており、且つ、当該補助支持手段内部には、その内壁の一部に設けられた適宜の固定手段を介して、その一端部固定把持されている少なくとも１本の、所定の伸度、伸長回復率を有する伸縮性弾発部材を配置せしめられており、更に、当該それぞれの伸縮性弾発部材の他方の端部には、適宜の強度或は伸度を有する１本或いは２本の連結部材のそれぞれの一端部が接続せしめられており、当該各連結部材のそれぞれの他方の端部は、当該補助支持手段に於ける当該疑似肩甲骨が取り付けられている側の表面に設けられ、当該疑似肩甲骨の両側面側に形成された１個又は２個の穴部にそれぞれ貫通させて、且つ当該関節窩の外表面側部を通過させた後、当該関節頭の表面に設けられた適宜の個々に対応する固定手段に接合固定するか又、当該関節頭の表面に設けられた個々の適宜の個々に対応する貫通孔を介して当該関節頭内部に導入し、当該関節頭内部に設けられた適宜の個々に対応する固定手段に接合固定する様に構成した事を特徴とする肩疑似関節構造体。
【請求項２３】
当該それぞれの伸縮性弾発部材に接合される２本の連結部材は、一本の連続した線状体で構成されている事を特徴とする請求項２２に記載の肩疑似関節構造体。
【請求項２４】
当該それぞれの伸縮性弾発部材に接合される一連の連結部材は、一本の連続した線状体で構成されている事を特徴とする請求項２２又は２３に記載の肩疑似関節構造体。
【請求項２５】
当該それぞれの伸縮性弾発部材と当該連結部材との接合部には滑車手段が設けられている事を特徴とする請求項２２乃至２４の何れかに記載の肩疑似関節構造体。
【請求項２６】
疑似関節構造体が股疑似関節構造体であって、当該股疑似関節構造体は、適宜の中空状内部形状を有する補助支持手段の一部の外表面に固定して取り付けられている疑似寛骨臼窩を有する疑似寛骨と、その一端部に疑似上腕骨頭が形成されている疑似大腿骨部とから構成されており、且つ当該両者が所望の接圧応力の下で相互に接合嵌合固定されており、且つ、当該補助支持手段内部には、その内壁の一部に設けられた適宜の固定手段を介して、その一端部固定把持されている少なくとも１本の、所定の伸度、伸長回復率を有する伸縮性弾発部材を配置せしめられており、更に、当該それぞれの伸縮性弾発部材の他方の端部には、適宜の強度或は伸度を有する１本或いは２本の線状の連結部材のそれぞれの一端部が接続せしめられており、当該各連結部材のそれぞれの他方の端部は、当該補助支持手段に於ける当該疑似寛骨が取り付けられている側の表面に設けられた穴部或いはスリット部（切溝）にそれぞれ貫通させた後、当該各線状連結部材のそれぞれを、当該疑似寛骨に形成されている疑似寛骨臼窩に相当する底面部に設けられている挿通穴を介して、当該疑似上腕骨頭の外表面に形成された挿通穴を経由して当該疑似上腕骨頭の内部に導入され、そこで、適宜の固定手段によって、当該疑似上腕骨頭の外部表面に接合固定されている事を特徴とする股疑似関節構造体。
【請求項２７】
当該疑似大腿骨部の当該疑似上腕骨頭に近接する部位に、適宜の深さ、長さを有し、且つ異なる方向に配列形成された複数個の溝部が設けられている事を特徴とする請求項２６に記載の股疑似関節構造体。
【請求項２８】
股疑似関節構造体は、当該伸縮性弾発部材に平行して、当該伸縮性弾発部材の伸度、伸長回復率等が異なる別の伸縮性弾発部材を配置し、当該別の伸縮性弾発部材の一方の端部を適宜の固定手段を介して当該補助支持手段内の内壁の一部に取り付けると共に、当該別の伸縮性弾発部材の他方の端部に適宜の強度或は伸度を有する別の線状の連結部材の一端部を接続させ、当該別の線状連結部材の他方の端部を当該補助支持手段の表面部に形成された穴部若しくはスリットを貫通させて、且つ当該疑似寛骨の底面部に設けられている適宜の挿通穴を通って、関節頭の外表面近傍に設けられた出口穴から外部に出て、当該疑似上腕骨頭の表面湾曲状面に沿って配置された後、当該疑似上腕骨頭上に形成された適宜の挿通穴から当該疑似大腿骨部内部に挿入され、そこで、適宜の接合手段により固定されている事を特徴とする請求項２６又は２７に記載の股疑似関節構造体。
【請求項２９】
当該一本の線状連結部材若しくは一本の別の線状連結部材に、複数本の当該伸縮性弾発部材若しくは複数本の当該別の伸縮性弾発部材が連結されている事を特徴とする請求項２６乃至２８の何れかに記載の股疑似関節構造体。
【請求項３０】
疑似関節構造体が膝疑似関節構造体であって、当該膝疑似関節構造体は、一方の端部先端部に、関節頭として機能する突起部がそれぞれ設けられている疑似内側顆と疑似外側顆が並列的に配置形成されている疑似大腿骨部と、当該疑似内側顆と当該疑似外側顆に個別に形成されている当該突起部のそれぞれと個別に嵌合係合し関節窩として機能しうる凹み状の平坦面を有する疑似内側顆と疑似外側顆とが一方の端部先端部に設けられた疑似脛骨とが、当該関節頭と当該関節窩とを介して直列状に、所望の接続圧力の下で、連結係合固定されている構成を有しており、且つ、両者の連結係合固定は、当該疑似大腿骨部内若しくはそれに接続して設けられている適宜の補助支持部内に配置され、その一方の端部が、当該補助支持部に接合固定されている、適宜の伸度、伸長特性を有する少なくとも一本の伸縮性弾発部材と、当該個々の伸縮性弾発部材の他方の端部に、一方の端部が連結された適宜の強度或いは伸度を有する線状の連結部材の他方の端部を、当該疑似大腿骨部の内部空間部を挿通させた後、当該疑似大腿骨の下端部近傍部位に設けられた適宜の形状を有する穴若しくはスリット等から当該疑似大腿骨の外表面に導出させ、そのまま当該疑似大腿骨と当該疑似脛骨の外表面の片側若しくは両側面側を移行させた後、当該疑似脛骨の上端部の適宜の部位に設けた挿入穴部或いは挿入スリットから当該連結部材を当該疑似脛骨の内部に導入させ、その部位で適宜の固定手段を介して固定保持する様に構成されている事を特徴とする膝疑似関節構造体。
【請求項３１】
当該１本若しくは２本の伸縮性弾発部材の何れか若しくはその双方に平行して当該線状の連結部材と同一或いは異なる伸度、強度を有する補助線状連結部材を更に配置、使用するものであり、当該各補助線状連結部材の一方の端部を、当該疑似大腿骨の上端部の適宜の部位に於いて、適宜の固定手段を介して着脱自在に接合係合させると共に、当該補助線状連結部材の他方の端部を、当該伸縮性弾発部材と当該線状連結部材との接合部に接合させた事を特徴とする請求項３０に記載の膝疑似関節構造体。
【請求項３２】
当該膝疑似関節構造体は、更に、２本の補強線条体を相互に平行して当該膝疑似関節構造体の内部に配置する構成を有するものであって、当該各補強線条体の一方の端部は、当該補助支持部の上端部で、当該伸縮性弾発部材が固定配置されている部位の近傍に着脱自在の接合手段を介して、着脱自在に取り付けられていると共に、当該各補強線条体の他方の端部は、当該疑似大腿骨の内部を通過せしめられて、当該疑似大腿骨の下端部の下面に設けられた当該疑似内側顆と当該疑似外側顆内若しくはそれらの近傍部位に設けられた適宜の開口部から外部に導出させ、その後、当該２本の補強線条体を適宜の形状で相互に交差させた後に、当該疑似脛骨の上端部の上表面に設けた適宜の開口部から当該疑似脛骨内部に導入せしめ、当該疑似脛骨内部に設けられた適宜の接合固定手段に固定接合されている事を特徴とする請求項３１に記載の膝疑似関節構造体。
【請求項３３】
当該膝疑似関節構造体は、更に、疑似大腿骨部と当該疑似脛骨部との接合部の周縁部の一部と対向して、揺動可能な状態で配置されている膝蓋骨が設けられており、且つ当該膝蓋骨は、その一端部が適宜の固定部材に固定されている適宜の伸縮性弾発部材の他方の端部とその一方が接続されている１本或いは複数本の適宜の接続線状体のそれぞれの他方の端部と接合されていると共に、その他方の端部が当該疑似脛骨部の上端部近傍部に固定されている１本或いは複数本の適宜の別の接続線状体のそれぞれの一方の端部と接続されている事を特徴とする請求項３０乃至３２の何れかに記載の膝疑似関節構造体。
【請求項３４】
当該伸縮性弾発部材と、当該線状の連結部材との接合係合部には、適宜の滑車手段が設けられている事を特徴とする請求項３０乃至３３の何れかに記載の膝疑似関節構造体。
【請求項３５】
疑似関節構造体が足首疑似関節構造体であって、当該足首疑似関節構造体は、下端部に、疑似脛骨の疑似下端部関節面と、疑似腓骨の疑似下端部内面と、疑似脛骨の下端部内面並びに、疑似腓骨の疑似下端部内面とが一体的且つ連続的に形成され、疑似関節窩が形成されている疑似脚部と、当該疑似脚部に対して直交或いはそれに近い角度で交差接合されている疑似足先部であって、当該疑似足先部の一部に設けられている疑似距骨の上面に形成された疑似関節頭の機能を有する疑似距骨滑車を介して、当該疑似脚部と当該疑似足先部とが所望の接圧応力の下で相互に接合嵌合固定されており、且つ、当該疑似脚部と当該疑似足先部とは、当該疑似脚部の上方端部の適宜の部位に設けられた適宜の固定手段にその一端部が固定された伸縮性弾発部材を、当該疑似脚部の内部空間部内に配置すると同時に、当該伸縮性弾発部材の他方の端部に適宜の強度、伸度を有する適宜の線状の連結部材の一方の端部を接続させ、その他方の端部を当該疑似関節窩が形成されている疑似脚部の下端部に設けられている疑似拒腿関節の表面に形成された、一つ或いは複数個の穴部を介して一旦外部に導出された後、当該疑似関節頭が形成されている疑似拒骨の外表面に形成されている一つ或いは複数個の穴部若しくはスリット状の溝部を介して当該疑似足先部の内部空間内に導入され、疑似足先部の内面に設けられた適宜の固定手段を介して接続固定されている事を特徴とする足首疑似関節構造体。
【請求項３６】
当該伸縮性弾発部材の当該他方の端部には、複数本の線状の連結部材の一方の端部のそれぞれが接続されており、当該複数本の線状の連結部材は、相互に平行に当該疑似脚部と当該疑似足先部の内部に配置されている事を特徴とする請求項３５に記載の足首疑似関節構造体。
【請求項３７】
当該複数本の線状の連結部材は、一本の連続した線状の連結部材で構成されており、且つ当該線状の連結部材と当該伸縮性弾発部材との接合部には、適宜の滑車手段が設けられている事を特徴とする請求項３６に記載の足首疑似関節構造体。
【請求項３８】
請求項１乃至３７に規定された個々の疑似関節構造体から選択された複数種の当該疑似関節構造体が長手方向に相互に連続して接合されている事を特徴とする関節脱臼整復処理訓練用装置。
【発明の詳細な説明】
【技術分野】
【０００１】
本発明は、疑似関節構造体に関するものであり、特に詳しくは、脱臼した人体の関節を元の状態に戻す整復操作処理を行う場合の、当該整復措置方法の模擬操作、或いはその訓練を実践でき、それによって脱臼した関節の整復処理或いは整復処理方法に不慣れな医療関係者に対して、当該整復措置方法を簡単に且つ短期間で、経験させ、学習させることによって、脱臼した人体の関節の整復処理方法或いは整復操作方法を体得させ、脱臼した関節の整復処理技術を有する専門家を短期間で、直接的に脱臼した患者の当該患部を練習台にする事を必要とせずに、独立的に育成する事を可能にする疑似関節構造体及び当該整復処理操作習得装置に関するものである。
【背景技術】
【０００２】
人体には、多種多様な機能を有し、当該各機能を発揮させる為に、それぞれの機能発揮に適合した個別的な構造を有する個別的関節部が複数種備えられている。
例えば、その代表的な関節としては、例えば、顎関節、肩関節、肘関節、手首関節、股関節、膝関節、足関節、指関節等が知られている。
そして、それぞれの関節は、それぞれ特定の機能を発揮する為に、それぞれ個別的で、独特の関節構造を有している。
然しながら、上記各関節の構造は、個々にそれぞれ特徴的な関節構造を有してはいるものの、上記各関節は、略全ての関節に共通した基本的な関節構造を有しているものである。
【０００３】
即ち、図１に示す様に、比較的に球面状を呈する突起部である関節頭５’をその一端部１０’に有する第１の骨部２’と、比較的に凹面状を呈する凹陥部である関節窩６’をその一端部１１’に有する第２の骨部３’とが、当該関節頭５’と当該節窩６’とを相互に嵌合する様に相互に対向して近接配置されており、当該関節頭５’と当該節窩６’とが相互に対向する面には所謂硝子軟骨と称される関節軟骨膜８’が配置され、且つ、当該関節頭５’と当該節窩６’とが相互に対向する面の間には、骨液を内蔵する関節腔７’が配置されている。
更に、当該関節部の外側には、その周囲を完全に包囲して、当該関節の変位を防止して、関節の動きを安定化する為の、骨膜４’と線維膜１３’で構成されている関節包１２’が存在している。
更に、上記した各関節構造体に共通した付加的な構成としては、例えば図２に示す様に、当該関節包１２’を更に補強する為に、例えば、当該関節包１２’の外側両側面を強化するための副靭帯１４’や、当該関節包１２’の内部を補強する為の関節包内靭帯１５’、或いは、当該関節包の周囲を補強する靭帯或いは腱が存在している。
【０００４】
一方、当該各関節部１’に於ける脱臼とは、関節を包んでいる関節包１２’が、拡大したり、弛緩したり、或いは当該腱や靭帯等が切断されたりすると当該関節頭５’と当該関節窩６’との間に形成されている関節面が相互にずれてしまうことになるが、係る状態を脱臼と称している。
当該脱臼には、種々の分類があるが、代表的な分類としては、当該関節頭５’と当該関節窩６’との間の関節面が完全にずれていて、相互に対向していない状態を完全脱臼と称し、当該関節面が部分的に対向している状態を亜脱臼と称している。
処で、当該脱臼が発生する原因としても種々考えられており、その代表的な原因の一つとしては、関節頭５’や関節窩６’の骨部の破壊、或いは、当該関節包の拡張、弛緩若しくは当該靭帯や周辺筋肉等の弛緩や麻痺により当該関節部の各構成部の固定が不安定になったり、悪化したりして脱臼が発生する場合である病的脱臼と、何らかの外力が当該関節部に印加されたことにより、当該関節包１２’や、当該靭帯１４’、１５’或いは腱等に切断や弛緩が発生し、当該破断、切断された靭帯或いは腱等の間から当該関節頭５或いは当該関節窩６が当該関節包１２’を突き破って外方に突出する外傷性脱臼とが知られている。
【０００５】
又、脱臼に付いての、当該関節面に於ける当該関節頭５’及び当該関節窩６’の相対位置関係により、例えば、近位関節面に対して、遠位関節面が前方に転位している前方脱臼や、反対にその後方に転位している下方脱臼と称する場合と、当該近位関節面に対して、遠位関節面が側方に転位している側方脱臼があり、且つ当該側方脱臼には、内側脱臼と外側脱臼とに細分され、中でも、当該遠位関節面が正中面の方向に転位した場合を内側脱臼と称し、当該遠位関節面が正中面から遠ざかる方向に転位した場合を外側脱臼と称する場合がある。
そして、このような関節部に脱臼が発生した場合には、早急に元の関節の状態に戻す治療が必要であり、その回復操作を整復処理操作と称している。
【０００６】
当該整復処理操作の基本は、当該関節部が脱臼した状態が発生した経路を実質的に同じ経路を逆に辿って、当該関節頭５’を当該関節窩６’内に収める様にすることである。
当該整復処理操作の一つの具体例を示すならば、所定の関節に於ける脱臼した骨部の内、可動骨部、つまり人体の本体部に近接して固定されている状態が多い基部骨部と対応して配置されている骨部を、当該第１及び第２の骨部の共通する長手方向に戻すか、当該骨部を元の配置位置の方向に戻した上で、当該骨部の長手方向に所定の力を加えて伸長させ、当該関節頭５’を当該関節窩６’の中に戻すと言う操作が要求されるものである。
【０００７】
処で、係る脱臼関節の整復処理操作は、当該整復処理操作に精通した専門家である整復トレーナーにより整復治療が行われる。
然しながら、係る整復処理操作に於いては、それぞれの関節に於いて、脱臼状態は、様々な態様があり、その脱臼の程度も、それぞれの状況によって異なるものである事が多く、然も、単なる脱臼の他に、当該靭帯の切断や、当該腱の切断も有りうるため、当該可動骨、通常は当該関節頭５’を有する方の第１の骨部を、如何なる方向に如何なる程度移動させ、その後如何なる引張力を加えて、一定の長さ当該第１の骨部を当該第２の骨部の関節窩６’から引き離し、その上で、当該第１の骨部をどの程度移動させて、当該第２の骨部の関節窩６’内に戻すかと言う操作を瞬時に判断し、即決で実行する事が要求される。
更に、係る整復処理操作に対する当該骨部の伸長の程度、伸長時の付加伸長力等は、患者の年齢や性別、体型等によっても微妙に異なるものであり、画一的でない事も、多くの経験、体験を必要とする環境が存在する。
その為には、当該整復トレーナーは、長年に亘る数多くの当該脱臼関節の整復操作を実践し、経験することにより、それぞれの患者の個別の関節に付いての脱臼に対する適格な整復処理操作を施す事が可能となる。
【０００８】
然しながら、その為には、高度の整復処理操作技術を有する専門の整復トレーナーに付いて、その操作を目視し、且つ当該整復トレーナーの指導若しくはその補助的操作を体験することにより、徐徐に当該整復処理操作を体験し、体得する必要があるので、独立して当該整復トレーナーとして患者の関節の脱臼の治療に当たれるまでには、相当の長期間に亘る、訓練、勉強が要求される事になる。
【０００９】
又、未経験の当該整復トレーナーが脱臼患者の治療をする為に、直接当該患者の当該関節を操作するとなると、当該患者が受ける苦痛は、相当なものがあり、当該患者に大きな精神的不安と危機感を与えてしまうことになるので、当該実践的な学習を効果的に且つ容易に実行する事は極めて困難な状況にあった。
然も、係る環境を改善する為の、訓練施設、訓練装置・器具等は、従来は全く見られていないので、当該整復トレーナーを目指す学生やスポーツトレーナー等にとっては、当該脱臼した関節に対する整復処理操作を学習し、体験する機会は極めて少ないという問題があった。
【００１０】
従来に於ける当該整復処理操作を学習する為の訓練装置としては、例えば、特開２０１２−１７３６１４号公報（特許文献１）に開示されている様に、肘関節部の構造を模倣した疑似肘関節を使用するものであって、当該疑似肘関節に於いては、人体の標準的な肘関節構造を縦方向、つまり長手方向に完全に２分割し、その中間に形成された長手空間部に２本のスプリングを配置して、上腕骨模擬体と前腕骨模擬体とを弾発的に相互に押圧接触させた構造となっている。
【００１１】
然しながら、係る構造では、肘関節は一定の方向のみにしか旋回する事が出来ず、従って、回転や旋回という外力により脱臼した様な状態は到底実現させる事が出来ないのであり、全ての可能性のある肘関節脱臼状態を実現させることは不可能な装置に過ぎないという問題点を含んでいる他、上記肘関節を２分割することにより、整復技術を習得しようとする人が、実際の人体の肘関節の構造を感覚で覚える事は不可能となる事かｒも、係る構造による整復処理操作訓練装置としては、実現性の乏しいものである事は明らかである。
【００１２】
一方、実用新案登録第３１４４３１７号公報（特許文献２）には、整復技術習得用人体模型教材が示されているが、当該特許文献２では、単に上腕骨部と橈骨部と橈骨遠位端部とからなる腕部の関節構造に関する模擬関節構造体であって、当該橈骨部と橈骨遠位端部の一方を金属材料で構成し、他方に磁石を配置させた構造の装置が示されているが、係る構造に於いても、全ての可能性のある関節脱臼状態を実現させることは不可能であり、整復処理操作訓練装置としては、機能性や効果の点並びにその実現性に於いて乏しいものである事は明らかである。
【００１３】
更に、特開２００６−３２３１０３号公報（特許文献３）には、脱臼の整復処理技術を習得する為の装置ではないが、関節部の各部位に於ける筋肉の動きに対応する複数の伸縮性のある線条体或いは布帛を関節を被覆する様に多数配置して構成したものであり、筋肉の各部の動きを実習する装置としては、機能するとしても、関節脱臼の整復技術習得には全く用をなさないものである。
【先行技術文献】
【特許文献】
【００１４】
【特許文献１】特開２０１２−１７３６１４号公報
【特許文献２】実用新案登録第３１４４３１７号公報
【特許文献３】特開２００６−３２３１０３号公報
【発明の概要】
【発明が解決しようとする課題】
【００１５】
従って、本発明の目的は、係る従来に於ける当該脱臼した関節に対する整復処理操作の習得方法についての問題点を解消し、脱臼した関節を元の状態に戻す整復処理を行う場合の、当該整復処置方法の模擬操作、或いはその訓練を実践でき、それによって脱臼した関節の整復処理方法に不慣れな医療関係者、或いはスポーツトレーナーに対して、当該整復措置方法を簡単に且つ短期間で、経験させ、学習させることによって、脱臼した関節の整復処理方法を体得させ、脱臼した関節の整復処理技術を有する専門家を短期間で、直接的に脱臼した患者の当該患部を練習台にする事を必要とせずに、独立的に育成する事を可能にする疑似関節構造体及びその整復操作習得装置を提供するものである。
【課題を解決するための手段】
【００１６】
本発明は、上記した目的を達成するために、基本的には、以下に記載されたような技術構成を採用するものである。
即ち、本発明に係わる当該疑似関節構造体の第１の態様は、人間の体に於ける所定部位に於ける所定の関節構造に近似した構造からなる疑似関節構造体であって、当該疑似関節構造体は、関節頭がその一端部に形成されている第１の疑似骨部材と、関節窩がその一端部に形成されている第２の疑似骨部材とからなり、且つ当該第１と第２の疑似骨部材は、当該関節頭と当該節窩とが相互に嵌合する様に相互に対向して近接配置されており、然も、当該第１と第２の疑似骨部材は、当該第１と第２の疑似骨部材の何れか一方の疑似骨部材の一部若しくは当該疑似骨部材に連接されている第１の補助支持部に、その一端部が固定され、その他端部が直接若しくは適宜の連結部材を介して当該他方の疑似骨部材の一部若しくは当該疑似骨部材に連接されている第２の補助支持部に固定されている適宜の伸縮性弾発部材により、所定の押圧力の下で、相互に接圧せしめられており、更に、当該疑似関節構造体は、当該第１と第２の疑似骨部材が、当該両疑似骨部材間での脱臼状態を表示して静止する機能と、当該脱臼状態にある当該疑似関節構造体に於ける当該第１と第２の疑似骨部材の少なくとも一方に所定の力を加えながら所定の方向に伸長させたり或いは押し込みながら所定の方向に変位させるか、旋回させる動作を印加することにより当該脱臼状態を整復させる機能と、を有している事を特徴とする関節脱臼に対する整復操作を習得するための疑似関節構造体である。
【発明の効果】
【００１７】
本発明に係る当該疑似関節構造体は、上記した様な新規な技術構成を採用した事によって、従来存在していなかった、疑似関節構造体を市場に提供すると同時に、脱臼した関節を元の状態に戻す整復処理を行う場合の、当該整復措置方法の模擬操作、或いはその訓練を実践でき、それによって脱臼した関節の整復処理方法に不慣れな医療関係者、或いはスポーツトレーナーに対して、当該整復措置方法を簡単に且つ短期間で、経験させ、学習させることによって、脱臼した関節の整復処理方法を体得させ、脱臼した関節の整復処理技術を有する専門家を短期間で、直接的に脱臼した患者の当該患部を練習台にする事を必要とせずに、独立的に育成する事を可能にする疑似関節構造体を提供出来ると言う作用効果を奏するものである。
【図面の簡単な説明】
【００１８】
【図１】図１は、人間の関節の基本的な構成を説明する断面図である。
【図２】図２は、人間の関節の基本的な構成を説明する断面図である。
【図３】図３（Ａ）乃至図３（Ｄ）は、本発明に於ける疑似関節構造体の基本的構成の例を示す断面図である。
【図４】図４（Ａ）乃至図４（Ｄ）は、本発明に於ける疑似関節構造体に於ける脱臼の発生状態と脱臼を発生させる機構の一例を説明する図である。
【図５】図５（Ａ）乃至図５（Ｄ）は、本発明に於ける疑似関節構造体に於いて、捻じれによって発生する脱臼の一つの原理を説明する図である。
【図６】図６（Ａ）乃至図６（Ｂ）は、本発明に於ける疑似関節構造体に於いて、靭帯の影響を付加した疑似関節構造体の構成の一例を説明する断面図である。
【図７】図７は、人間の指関節の基本的な構成を説明する断面図である。
【図８Ａ】図８（Ａ）乃至図８（Ｃ）は、本発明に於ける疑似指関節構造体の構成の１具体例を説明する図である。
【図８Ｂ】図８（Ｄ）乃至図８（Ｆ）は、本発明に於ける疑似指関節構造体の構成の１具体例を説明する図である。
【図９】図９は、人間の肘関節の基本的な構成を説明する断面図である。
【図１０】図１０（Ａ）乃至図１０（Ｂ）は、本発明に於ける疑似肘関節構造体に於ける構成の一具体例を説明する図である。
【図１１Ａ】図１１（Ａ）は、本発明に於ける疑似肘関節構造体に於いて、当該肘を曲げた場合の状態での構成の一具体例を説明する図である。
【図１１Ｂ】図１１（Ｂ）は、本発明に於ける疑似肘関節構造体に於いて、当該肘を曲げた場合の状態での構成の一具体例を説明する図である。
【図１２】図１２（Ａ）乃至図１２（Ｄ）は、本発明に於ける疑似肘関節構造体に於いて、脱臼が発生した場合の状況の例を説明する図である。
【図１３】図１３は、人間の足関節の基本的な構成を説明する断面図である。
【図１４】図１４（Ａ）乃至図１４（Ｂ）は、本発明に於ける疑似足関節構造体に於ける一具体例の構成を説明する図である。
【図１５Ａ】図１５（Ａ）及び図１５（Ｂ）は、本発明に於ける疑似足関節構造体に於ける他の具体例の構成を説明する図である。
【図１５Ｂ】図１５（Ｃ）及び図１５（Ｄ）は、本発明に於ける疑似足関節構造体に於ける他の具体例の構成を説明する図である。
【図１６】図１６（Ａ）乃至図１６（Ｂ）は、本発明に於ける疑似足関節構造体に於ける脱臼が発生する状況を説明する図である。
【図１７】図１７（Ａ）乃至図１７（Ｂ）は、本発明に於ける疑似足関節構造体に於いて、捻じれによって脱臼を発生させる機構の一具体例を示す図である。
【図１８】図１８は、人間の肩関節の基本的な構成を説明する断面図である。
【図１９Ａ】図１９（Ａ）は、本発明に於ける疑似肩関節構造体に於ける一具体例の構成を説明する図である。
【図１９Ｂ】図１９（Ｂ）は、本発明に於ける疑似肩関節構造体に於ける一具体例の構成を説明する図である。
【図２０Ａ】図２０（Ａ）は、本発明に於ける疑似肩関節構造体に於いて、脱臼が発生する状況を説明する図である。
【図２０Ｂ】図２０（Ｂ）は、本発明に於ける疑似肩関節構造体に於いて、脱臼が発生する状況を説明する図である。
【図２１】図２１は、人間の股間関節の基本的な構成を説明する断面図である。
【図２２Ａ】図２２（Ａ）及び図２２（Ｂ）は、本発明に於ける疑似股間関節構造体の基本的構成の例を示す斜視図断面図及び側面である。
【図２２Ｂ】図２２（Ｃ）及び図２２（Ｄ）は、本発明に於ける疑似股間関節構造体の基本的構成の例を示す側面断面図である。
【図２３Ａ】図２３（Ａ）及び図２３（Ｂ）は、本発明に於ける疑似股間関節構造体のより詳細な構成を説明する斜視図及び裏面一部拡大図である。
【図２３Ｂ】図２３（Ｃ）は、本発明に於ける疑似股間関節構造体のより詳細な構成を説明する斜視図である。
【図２４】図２４（Ａ）乃至図２４（Ｃ）は、本発明に於ける疑似股間関節構造体に於いて、当該関節頭と当該関節窩に形成される溝部の設置位置及びその形状の具体例を説明する図である。
【図２５】図２５（Ａ）乃至図２５（Ｂ）は、本発明に於ける疑似股間関節構造体に於いて、発生する脱臼の具体例の形状を説明する図である。
【図２６】図２６は、人間の膝関節の基本的な構成を説明する断面図である。
【図２７】図２７（Ａ）乃至図２７（Ｃ）は、本発明に於ける疑似膝関節構造体の一具体例の構成を説明する図である。
【図２８】図２８（Ａ）乃至図２８（Ｄ）は、本発明に於ける疑似膝関節構造体に於いて、脱臼が発生する状況の例を説明する図である。
【図２９】図２９（Ａ）乃至図２７（Ｂ）は、本発明に於ける疑似膝関節構造体の他の具体例の構成を説明する図である。
【図３０】図３０（Ａ）乃至図３０（Ｃ）は、本発明に於ける疑似膝関節構造体の別の具体例の構成を説明する図である。
【図３１】図３１（Ａ）乃至図３１（Ｂ）は、本発明に於ける疑似膝関節構造体の更に別の具体例の構成を説明する図である。
【図３２】図３２は、本発明に於ける疑似指関節構造体に於ける指関節の脱臼状態の一例を示す参考図である。
【図３３】図３３は、本発明に於ける疑似指関節構造体に於ける指関節の脱臼状態の他の例を示す参考図である。
【図３４】図３４は、本発明に於ける疑似肘関節構造体に於ける肘関節の脱臼状態の一例を示す参考図である。
【図３５】図３５は、本発明に於ける疑似肘関節構造体に於ける肘関節の脱臼状態の他の例を示す参考図である。
【図３６】図３６は、本発明に於ける疑似足関節構造体の一具体例の構成を示す参考図である。
【図３７】図３７は、本発明に於ける疑似足関節構造体に於ける足関節の脱臼状態の一例を示す参考図である。
【図３８】図３８は、本発明に於ける疑似足関節構造体の一具体例の構成を示す参考図である。
【図３９】図３９は、本発明に於ける疑似足関節構造体の他の具体例の構成を示す参考図である。
【図４０】図４０は、本発明に於ける疑似肩関節構造体の一具体例の構成を示す参考図である。
【図４１】図４１は、本発明に於ける疑似肩関節構造体に於ける肩関節の脱臼状態の一例を示す参考図である。
【図４２】図４２は、本発明に於ける疑似股間関節構造体の一具体例の構成を示す参考図である。
【図４３】図４３は、本発明に於ける疑似股間関節構造体の他の具体例の構成を示す参考図である。
【図４４】図４４は、本発明に於ける疑似股間関節構造体の別の具体例の構成を示す参考図である。
【図４５】図４５は、本発明に於ける疑似股間関節構造体に於ける股関節の脱臼状態の一例を示す参考図である。
【図４６】図４６は、本発明に於ける疑似膝関節構造体の一具体例の構成を示す参考図である。
【図４７】図４７は、本発明に於ける疑似膝関節構造体の一具体例の構成を示す参考図である。
【図４８】図４８は、本発明に於ける疑似膝関節構造体に於ける膝関節の脱臼状態の一例を示す参考図である。
【図４９】図４９は、本発明に於ける関節脱臼整復処理操作習得装置の一具体例の構成を示す斜視図である。
【図５０】図５０は、本発明に於ける疑似肩関節構造体に使用されるスプリング機構部の一具体例の構成を説明する斜視図である。
【図５１】図５１は、本発明に於ける疑似肩関節構造体に使用される関節頭と関節窩との構成例を説明する図である。
【図５２】図５２は、本発明に於ける関節脱臼整復処理操作習得装置の一具体例の構成を説明する図である。
【図５３】５３は、本発明に於ける関節脱臼整復処理操作習得装置の一具体例の構成を説明する図である。
【図５４】５４は、本発明に於ける関節脱臼整復処理操作習得装置の一具体例の構成を説明する図である。
【図５５】５５は、本発明に於ける関節脱臼整復処理操作習得装置の一具体例の構成を説明する図である。
【図５６】５６は、本発明に於ける関節脱臼整復処理操作習得装置の一具体例の構成を説明する図である。
【図５７】５７は、本発明に於ける関節脱臼整復処理操作習得装置の一具体例の構成を説明する図である。
【図５８】図５８は、本発明に於ける関節脱臼整復処理操作習得装置に使用されるスプリング機構部の一具体例の構成を説明する図である。
【図５９】図５９は、本発明に於ける疑似肩関節構造体に使用される関節頭と関節窩との構成例を説明する図である。
【図６０】図６０は、本発明に於ける疑似肩関節構造体に使用される関節頭と関節窩との構成例を説明する図である。
【図６１】図６１は、本発明に於ける関節脱臼整復処理操作習得装置に使用されるスプリング機構部の一具体例の構成を説明する図である
【図６２】図６２は、本発明に於ける関節脱臼整復処理操作習得装置に使用されるスプリング機構部の一具体例の構成を説明する図である
【図６３】図６３は、本発明に於ける関節脱臼整復処理操作習得装置に使用されるスプリング機構部の一具体例の構成を説明する図である
【図６４】図６４は、本発明に於ける疑似肩関節構造体に使用される関節頭と関節窩との構成例を説明する図である。
【図６５】図６５は、本発明に於ける疑似肩関節構造体に使用される関節頭と関節窩との構成例を説明する図である。
【発明を実施するための形態】
【００１９】
以下に、本発明に於ける当該疑似関節構造体の構成及び機能を、図面を参照しながら詳細に説明する。
即ち、図３（Ａ）は、本発明に係る当該疑似関節構造体１の一具体例の構成を示す図であり、図中、人間の体１００に於ける所定部位に於ける所定の関節構造に近似した構造からなる疑似関節構造体１であって、当該疑似関節構造体１は、関節頭５がその一端部に形成されている第１の疑似骨部材２と、関節窩６がその一端部に形成されている第２の疑似骨部材３とからなり、且つ当該第１と第２の疑似骨部材２，３は、当該関節頭５と当該節窩６とが相互に嵌合する様に相互に対向して近接配置されており、然も、当該第１と第２の疑似骨部材２，３は、当該第１と第２の疑似骨部材２，３の何れか一方の疑似骨部材２、３の一部若しくは当該疑似骨部材２、３の一方に連接されている第１の補助支持部２０に、その一端部が固定され、その他端部が、当該他方の疑似骨部材３、２の一部若しくは当該疑似骨部材３、２に連接されている第２の補助支持部２２に固定されている、適宜の連結部材２１及び／又は適宜の伸縮性弾発部材２４により、所定の押圧力の下で、相互に接圧せしめられており、更に、当該疑似関節構造体１は、当該第１と第２の疑似骨部材２，３が、当該両疑似骨部材２，３間での脱臼状態を表示して静止する機能と、当該脱臼状態にある当該疑似関節構造体１に於ける当該第１と第２の疑似骨部材２，３の少なくとも一方を伸長させるか、押し込みながら所定の方向に変位させるか、旋回させる動作を付加することにより当該脱臼状態を整復させる機能と、を有している事を特徴とする関節脱臼に対する整復操作を習得するための疑似関節構造体１が示されている。
【００２０】
本発明に係る当該疑似関節構造体１は、それぞれの実際の人体の各関節部に於ける骨部構造と略同じ形状、構造を有する様に形成される必要があり、好ましくは年齢、性別、体型等によっても、異なる疑似関節構造体１を個別に準備しておく事が望ましい。
本発明に於いては、当該疑似関節構造体１を構成する各部の骨部材、つまり第１の疑似骨部材２と第２の疑似骨部材３は、適宜の金属材料、複合樹脂材料を含む合成樹脂材料、炭素繊維等を含む強化プラスチック、適宜の補強材を内蔵する石膏、“オルソプラスト”等の加熱することにより軟化し、冷却することにより固化する性質を有するプラスチック、或いは紙、木材等から選択された材料で、適宜の厚みを有する材料で、それぞれ図３、図４に示される様な個別の構成を有する様に、それぞれ一体的に製造されるものである。
勿論、必要によっては、当該第１及び第２の疑似骨部材２若しくは３のそれぞれを、必要な部品に細分化して、個別に成形し、それらを一体的に組み立てて、完成させたものであっても良い。
【００２１】
本発明に於ける当該疑似関節構造体１の各疑似骨部材２及び３は、内部が充実した筒状体で構成されていても良く、或いは、内部が中空状となっている中空筒状態或いは半円筒状態で構成されたものであっても良い。
更に、本発明に於いては、当該整復処理操作をし易い様に、略全体に亘って、円筒状で、且つそれぞれが所定の人体の実際の部分の外観に近似している外観形状を有する様に、形成されている事が望ましい。
【００２２】
又、本発明に於いては、後述する各種の伸縮性弾発材を含む適宜の調整部材、駆動補助部材等を取り外し、組み付け、或いは修理・調整等の各操作を実行する為に、当該各疑似骨部材２若しくは３の一部を内部が透視できる様に、当該疑似骨部材の外表面を欠落させておく事も望ましい具体例である。
そして、本発明に於いては、当該伸縮性弾発部材２４を、当該第１の疑似骨部材２或いは第２の疑似骨部材３の内部空間内に配置させ、当該伸縮性弾発部材２４の一端部を当該第１の疑似骨部材２或いは第２の疑似骨部材３の端部に適宜の固定部材２７、２８を介して固定接合するか、当該第１の疑似骨部材２或いは第２の疑似骨部材３の内部空間内の適宜の部位に、適宜の固定部材２７、２８を介して固定するものである。
【００２３】
本発明に於ける当該疑似関節構造体１の他の具体例に於いては、図３（Ｂ）或いは図３（Ｃ）に示す様に、当該第１と第２の疑似骨部材２、３の少なくとも一方、例えば、当該第２の疑似骨部材３の一部に、金属製或いは合成樹脂製、若しくは木製材料から構成された適宜の形状を有する第１の補助支持部２０を連接して設けたものであっても良い。
【００２４】
係る第１の補助支持部材２０は、後述する様に、脱臼した特定の関節の状態を観察出来る様にする為に、特定の場所に於いて安定的に保持固定するか載置する様に機能すると同時に、脱臼の整復処理操作を体験学習する際にも当該疑似関節構造体１を所定の場所に安定的に固定させると言う機能を有する他、適宜の伸縮性弾発部材２４の一端部を固定保持する機能、或いは当該伸縮性弾発部材２４の他端部に接続されている適宜の連結部材２１の端部を固定保持する機能を有するものであり、且つ本発明に於いて使用される当該固定手段２７，２８も特に限定されるものではないが、従来周知の適宜の固定部材例えば、ボルトナット、フック、ネジ等の適宜の固定手段２７、２８、を使用して当該伸縮性弾発部材２４及び当該連結部材２１を固定する為に使用されるものである。
本発明に於ける当該第１の補助支持部材２０は、特に当該関節部の形状が大きい関節、例えば、股関節、肩関節、或いは膝関節等に併用されるものである事が好ましい。
【００２５】
一方、本発明に於ける当該疑似関節構造体の個別的な部材に於いては、当該第１の疑似骨部材２と当該第２の疑似骨部材３とは、略直線的に当該各疑似骨部材２、３の長手方向に沿って、当該関節頭５と当該関節窩６とが相互に接圧されて、所定の押圧力の下で、相互に接圧せしめられており、その具体的構成の一例として、例えば、図３（Ａ）に示す様に、当該第１と第２の疑似骨部材２，３は、当該第１と第２の疑似骨部材２，３の何れか一方の疑似骨部材２、３の一部に、その一端部が固定され、その他端部が直接若しくは適宜の連結部材２１を介して当該他方の疑似骨部材３、２の一部に固定されている適宜の伸縮性弾発部材２４により、所定の押圧力の下で、相互に接圧せしめられている構成をとるものであっても良く、或いは、別の具体例として、図３（Ｂ）及び図３（Ｃ）に示されている通り、当該第１と第２の疑似骨部材２，３は、当該第１と第２の疑似骨部材２，３の何れか一方の疑似骨部材３に連接されている第１の補助支持部材２０に、その一端部が固定され、その他端部が直接若しくは適宜の連結部材２１を介して当該他方の疑似骨部材２に連接されている第２の補助支持部材２２に固定されている適宜の伸縮性弾発部材２４により、所定の押圧力の下で、相互に接圧せしめられている構成を有するものであっても良い。
【００２６】
更に、本発明に於いては、当該伸縮性弾発部材２４は、金属製或いは合成樹脂製のスプリングであっても良く或いはゴム若しくは合成樹脂を主体とする弾性帯状物からなる適宜の伸長性及び伸長回復性を有する部材から構成されるものである。
本発明に於ける当該伸縮性弾発部材２４の長さ、太さは特に限定されるものではなく、使用される当該第１或いは第２の疑似骨部材２或いは３、若しくは当該補助支持枠部２２の大きさや、当該所定の関節部の所定の構成部位に於いて個別に要求される伸長力、伸長回復力等を勘案して決定される事が望ましい。
また、本発明に於ける当該伸縮性弾発部材２４は、当該所定の関節部の特性、性別、年代別の特性要因を勘案して、適宜当該伸長力、伸長回復力等を調整出来る様な調整手段２９が設けられているものであっても良い。
当該調整手段２９としては、例えば、相互に異なる伸長力或は伸長回復力を有する複数の伸縮性弾発部材２４を予め用意しておき、それらを適宜選択する様に構成した選択切り替え手段或は、当該複数種類の伸縮性弾発部材２４から選択された複数種類の伸縮性弾発部材２４をその長手方向に連続的に接続する様な機能を有する接続状態切り替え手段等が使用出来る。
【００２７】
一方、本発明に於いて使用される、当該伸縮性弾発部材２４の他方の端部に接続される当該連結部材２１は、少なくとも１本、場合によっては、２本或いはそれ以上の複数本が使用され、且つその構造或いは材料は特に限定されるものではなく、適宜の強度の若干の伸度、伸縮性を有するものである事が望ましく、金属製或いは合成樹脂製線条体、或いは天然繊維若しくは合成繊維からなる糸条体、或いは、革材、合成樹脂シート材等からなる帯状体で構成された線条体等で構成されるものである事が好ましい。
上記本発明に於ける具体例に於いては、少なくとも２本の当該線条を有する連結部材２１を使用する場合には、後述する図６に示されている通り、一本の当該連結部材２１をその途中の略中央部位置で折り曲げて使用する事が可能であり、更には、当該線条を有する連結部材２１の略中央部位置で折り曲部と当該伸縮性弾発部材２４の他方の端部との接合部には、後述する図５０に示されている様な適宜の構造を持ったか滑車手段１２５を挿入配置せしめ、当該連結部材２１を連続した状態で使用することも好ましい具体例である。
又、更なる具体例としては、当該伸縮性弾発部材２４と当該連結部材２１をそれぞれ複数本づつ使用する場合にあっては、例えば、図５０に示される様に、複数個の滑車手段１２５を併用すると同時に、当該１本の連結部材２１を一連に循環させた後に、その端部同志を適宜の締め継ぎ手段１２０等を使用して固定させて使用するものであっても良い。
【００２８】
本発明に於ける当該第１若しくは第２の疑似骨部材２，３の一方の疑似骨部材２，３の内部空間内で、当該伸縮性弾発部材２４の他方の端部と適宜の結合手段３１を介して接合されている当該連結部材２１の他方の端部は、例えば、当該第１の疑似骨部材２に於ける当該関節頭５及び第２の骨部材３の当該関節窩６等の略中央部で、好ましくは、当該各第１の疑似骨部材２及び第２の疑似骨部材３の中軸線が通過する部位若しくはその近傍に形成された、適宜の大きさを持つ切り溝部３２及び、又は孔部３５を貫通して、他方の疑似骨部材内で適宜の接合手段２８を介して、その疑似骨部材内部に固定保持されているものである。
或いは、当該連結部材２１の他方の端部は、図３（Ｃ）に示す様に、当該第1若しくは第２の補助支持部２０、２２内部に固定保持される様に構成されているものであっても良い。
【００２９】
本発明に於ける当該疑似関節構造体１の更に別の特徴的技術構成としては、先ず、図４に示す様に、当該疑似関節構造体１に於ける当該第１と第２の疑似骨部材２，３の間で、当該関節頭５が当該関節窩６から離脱した脱臼状態を安定した状態で表示する為に、当該両疑似骨部材２，３を相互に所定の方向に折り曲げるか、或いはその一方の疑似骨部材を他方の疑似骨部材に対して、捻じるか旋回させることによって、当該脱臼状態を創設し、当該脱臼状態をそのままの状態に保持させておく事が可能な機構を有するものである。
つまり、本発明に係る当該疑似関節構造体１に於いては、当該疑似関節構造体１の使用者が任意の時点で、任意の状態の脱臼状態を作り出し、その脱臼状態をそのままの状態に保持させておく機能を有するものである。
【００３０】
更に、本発明に於ける当該疑似関節構造体１の更に他の特徴的技術構成としては、当該疑似関節構造体１に於ける当該第１と第２の疑似骨部材２，３の間で形成された当該脱臼状態にある当該疑似関節構造体１に於ける当該第１と第２の疑似骨部材２，３の少なくとも一方を伸長させながら所定の方向に変位させるか旋回させる動作を印加することにより当該脱臼状態を正常な関節構造の状態に整復させる機能を発揮出来る構成を有しているものである。
一方、図３（Ｃ）の具体例では、所望の疑似関節構造体に於ける当該第１と第２の疑似骨部材２，３同士の相互接圧に於いて、当該伸縮性弾発部材２４と当該連結部材２１の接続係合方式が上記した各具体例のものとは異なり、当該伸縮性弾発部材２４が、当該関節頭５を含む当該第１の疑似骨部材２内に設けられている構成を有している。
【００３１】
本発明に於ける上記した特徴的技術構成を実現させる為に、本発明に於ける当該疑似関節構造体１に於いては、上記した当該伸縮性弾発部材２４と当該連結部材２１の作用により、当該第１と第２の疑似骨部材２，３を当該関節頭５と当該関節窩６とを相互に対向させた状態で相互に所定の押圧力の下で、相互に接圧された状態を形成しておき（これが正常な関節の動作状態を示す）、同時に、当該第１と第２の疑似骨部材２，３の当該関節頭５と当該関節窩６の少なくとも一部に於ける所定の部位に、線条体である当該連結部材２１を、所望の特定の疑似関節部に於ける所定の脱臼状態に於いて、当該関節頭５の所定の部位及び当該関節窩６の所定部位に誘導する様に構成せしめる為に、一つ或いは複数個の溝部３２或いは穴部３５を設けるものである。
【００３２】
即ち、図４（Ａ）及び図４（Ｂ）に示す様に、当該関節頭５と当該関節窩６の少なくとも一方の少なくとも一部で、当該関節頭５或いは当該関節窩６の外縁部からその内部に向けて形成された１本或いは複数本の切込溝部３２を設けるものであり、係る切込溝部３２の数は、当該連結部材２１の使用本数により決定されるものである。
尚、図４（Ｂ）に於ける符号３５は、当該関節頭５と当該関節窩６の略中央部であって、当該連結部材２１が、正常な関節状態にある場合に当該関節頭５と当該関節窩６を貫通する為に予め設けられている穴部である。
係る穴部３５は、当該関節頭５と当該関節窩６の略中央部に必ず設けられるものであり、当該切込溝部３２が設けられる場合には、当該穴部３５と当該切込溝部３２とは相互に連通せしめられている事が望ましい具体例である。
【００３３】
又、当該切込溝部３２の長さ或いはその形状は特に限定されるものではなく、当該関節に於ける脱臼状態の発生状況を勘案して決定する事が可能である。
更に、当該切込溝部３２が複数個設けられる場合には、それぞれの長さ或いはその形状及び当該切込溝部の長手方向等は特に限定されるものではないが、相互に異なるものであっても良く、特に当該切込溝部３２のそれぞれの形成方向は、当該関節部の脱臼の発生方向に応じて設計され、設定される事が望ましい。
その為に、本発明では、事前に多数の関節脱臼の発生原因、発生状態、発生方向等に関す情報を集め、当該情報から、当該所定の脱臼に於いて、当該第１若しくは第２の疑似骨部材２、３が如何なる挙動を示して脱臼状態が発生するかを想定して、決定する事が望ましい。
【００３４】
本発明に於ける当該切込溝部３２は、図４（Ａ）或いは図４（Ｂ）に示す様に、当該関節頭５の略中央部に当該伸縮性弾発部材２４と連結されている当該連結部材２１が通過する穴部３５の近傍に別途に形成しておく事も可能であり、或いは、当該穴部３５と連通して形成したものであっても良い。
当該切込溝部３２を上記した部位に配置する事により、図４（Ａ）或いは図４（Ｃ）に示す様に、当該関節１が脱臼し、当該関節頭５が、当該関節窩６から離脱した状態に於いて、当該伸縮性弾発部材２４と連携している当該連結部材２１が、当該穴部３５と当該切込溝部３２とに緊張状態下で配置せしめられるので、当該脱臼状態が、安定的に維持保存されるのである。
即ち、係る穴部３５と当該切込溝部３２等は、当該所定の関節が正常である場合には、外部から観察する事ができないが、当該所定の関節が脱臼になった場合に、外部から観察する事が出来る。
更に、本発明に於いては、当該切込溝部３２は、後述する様な、例えば、補助線条体或は補強線条体等の他の機能を有する線条体も通過出来る様な溝部であっても良く、当該溝部は、当該関節頭５や当該関節窩６内部のみに設けられる事に限定はされず、例えば、当該第１又は第２の疑似骨部材２或いは３の当該関節頭５や当該関節窩６の外表面若しくは当該関節頭５や当該関節窩６に近接した部位の外表面等にも適宜の長さ或は適宜の形状、若しくは適宜の幅等を有する一つ或は複数個の当該溝部を形成配置することも可能である。
【００３５】
本具体例では、当該関節頭５や当該関節窩６に、単に当該溝部３２のみが形成させるものであってもよく、図４（Ｂ）に示す様に、当該通過用の穴部３５と当該切込溝部３２とを連通して形成したものであっても良く、或いは、長さや形状或いは溝の長手方向中心軸線の向き等を相互に異にした一つ或いは複数個の当該切込溝部３２を設ける事も可能である。
当該切込溝部３２の配置位置或いは配置方向等は、前記した様に、当該所定の関節部に於ける脱臼の発生する可能性の高い方向に当該縮性弾発部材２４或いは当該連結部材２１が、容易に誘導される様に配置条件等を決定する事が可能である。
そして、当該脱臼状態を正常な関節構造に回復させる整復処理操作を行うに際しては、例えば、当該第１又は第２の疑似骨部材２又は３を、当該伸縮性弾発部材２４の収縮力に抗して、所定の長さだけ、当該第１又は第２の疑似骨部材２或いは３の長手方向に沿って、或いは当該第１又は第２の疑似骨部材２或いは３の長手方向とは異なる予め決定されている方向に伸長、或いは引張若しくは旋回又はねじれを付与することにより、当該関節頭５を当該関節窩６の凹陥部内に戻す操作を実行するが、当該切込溝部３２が、当該第１又は第２の骨部材２の当該伸長方向或いは旋回、ねじれ方向のガイド的役割を演出するものである。
【００３６】
又、図５（Ａ）に示す様な、本発明に於ける当該脱臼状態が、当該第１とは第２の疑似骨部材２、３の内の一方の疑似骨部材３を捻じることにより発生させる様な関節脱臼構造である場合には、例えば、図５（Ｂ）或いは図５（Ｃ）に示す様に、当該一方の疑似骨部材２の外方周縁側壁部の適宜の部位に適宜のピン部４０を固定して設けると共に、当該他方の疑似骨部材３の外方周縁側壁部に適宜の部位に、当該ピン部４０に当接する適宜の形状を有するカム部４２若しくはテ―パ状部分４２を設け、当該他方の疑似骨部材３を当該一方の疑似骨部材２の中空部内に回転自在に挿入し、当該カム部若しくはテ―パ状部分４２を当該ピン部４０と摺動接触させる事によって、当該他方の第２の疑似骨部材３を当該第１の疑似骨部材２内で、所定の角度内で旋回させたり、捻じれ操作を行う事により、当該第２の疑似骨部材３が、捻じれながら当該第２の疑似骨部材３の軸方向に伸長して所定の脱臼状態を創出させる事が可能となり、又当該操作の逆の操作を実行することによって、当該脱臼状態に対する整復操作が実行される事になる。
勿論、本具体例では、当該第１の疑似骨部材２と当該第２の疑似骨部材３とは、前述の様に、適宜の当該縮性弾発部材２４及び又は当該連結部材２１によって、相互に当該関節頭５と当該関節窩６とを介して相互に押圧接合されているものである。
【００３７】
本具体例に於いては、図５（Ｄ）に示す様に、当該カム部若しくはテ―パ状部分４２の一端部に、当該ピン部４０を嵌入させて、当該カム部若しくはテ―パ状部分４２の動きを静止させる為の凹部４３を設ける事が好ましく、係る凹部４３に当該ピン部４０を嵌入させて当該第２の疑似骨部材３の捻じれを終息させて、その状態に維持する事が出来る。
又、当該凹部４３に当該ピン部４０嵌入させて当該第２の疑似骨部材３の捻じれを静止させた位置は、当該関節部に於いて脱臼が発生した場合の当該第２の疑似骨部材３の最大上昇位置を示す事になる。
従って、図５（Ｄ）中、当該凹部４３の上下方向の高さ位置は、当該関節が正常な状態にある場合に、当該カム部若しくはテ―パ状部分４２が当該ピン部４０と当接する高さ位置よりも低い位置に設定されるものである。
【００３８】
本発明に係る当該疑似関節構造体１に於いて、図３（Ａ）に示す具体例では、当該連結部材２１は、当該疑似骨部材２，３の何れかの内部空間部内に配置されているが、本発明に於ける他の具体例に於いては、当該連結部材２１の少なくとも一部は、当該疑似関節構造体１に於ける当該疑似骨部材２又は３の外部表面に配置されている事も好ましい具体例である。
即ち、図３（Ａ）に於ける点線２１Ａ又は２１Ｂで示す様に、少なくとも一本の当該連結部材２１の一部が、当該伸縮性弾発部材２４との結合部位から直接的に或いは一部、当該疑似骨部材２，３の何れか一方の内部に配置された後、当該関節部１の外表面に沿って配置された後、再び当該疑似骨部材３、２の他方の内部に挿入され、所定の部位に固定される様に構成されているものであっても良い。
当該連結部材２１が複数本並列的に使用されている場合には、その一部の連結部材２１が上記構成を採用するものであっても良く、或いは全ての連結部材２１が、上記した構成を採用するものであっても良い。
本発明に於ける上記の技術構成に於いて、当該疑似関節構造体１の関節部の外部表面に配置されている当該適宜の連結部材２１は、靭帯或いは腱の機能と類似した機能を発揮する様に構成されているものである。
【００３９】
又、本発明に於ける当該疑似関節構造体１に於ける更に別の具体例に於いては、図６（Ａ）に示す様に、当該第１の疑似骨部材２若しくは当該第２の疑似骨部材３に設けられた当該伸縮性弾発部材２４に平行して当該連結部材２１と同一或いは異なる伸度、強度を有する補助線状体５０を配置し、当該補助線状体５０の一方の端部５１を、当該伸縮性弾発部材２４の一端部が固定されている当該疑似骨部材２又は３の所定の部位Ｐ２の近傍部Ｐ１に接合すると共に、当該補助線状体５０の他方の端部５２を、当該伸縮性弾発部材２４の当該他端部３１に接合させた構成を採用するものであっても良い。
係る具体例に於いては、当該補助線状体５０は，靭帯若しくは腱の機能と類似した機能を発揮する様に構成されているものであって、当該補助線状体５０の当該疑似骨部材２，３に接合されている当該一端部５１は、当該疑似骨部材２，３に、適宜の接合手段５５を介して着脱自在に接合されている事が好ましい具体例である。
【００４０】
より具体的には、当該疑似骨部材２又は３の何れか一方の端部に当該伸縮性弾発部材２４の一端部２７を固定している部位Ｐ２に近接した部位Ｐ１に図６（Ｂ）に示す様な、例えば、Ｌ字状の溝部５３と円形部５４とを接合した形状を有する穴部５２を設け、当該穴部５２の当該円形部５４の内径よりも小さいが、当該溝部５３の幅よりも大きな直径を有する適宜の係止部材５５に当該補助線状体５０の一方の端部を接合固定し、当該係止部材５５を当該穴部５２の当該円形部５４から挿入した後、当該係止部材５５を当該溝部５３内に移行させて、当該補助線状体５０を着脱自在に固定するものである。
係る構成を採用することによって、本発明に係る当該補助線状体５０の当該一端部を当該疑似骨部材２，３から離反させることにより、当該関節１の脱臼状態に於いて、靭帯或いは腱が切断されている状態を顕出させる様に構成されているものである。
即ち、本具体例に於いては、当該疑似関節構造体１に於いて、当該補助線状体５０が、実際の関節部１に於ける靭帯或いは腱の機能と類似した機能を発揮する様に構成されているものであり、当該補助線状体５０を当該疑似骨部材２又は３に対して着脱自在に接合固定しておく事によって、当該疑似関節部に於ける靭帯或いは腱の機能が正常に機能している場合と、当該靭帯或いは腱が切断或いは破壊されてその機能が消失されている場合との状況を作り出せることになり、当該整復処理操作を体験、学習する人にとっては、上記した両方の脱臼状態に対処する整復処理操作を体験・実習する事が可能となる。
一方、本発明に係る当該疑似関節構造体１が大型である場合には、例えば、膝関節部である場合には、当該疑似関節構造体１の当該第１と第２の疑似骨部材２，３を接合する為、例えば、図２７乃至図３０に示される様な補助接合線状体８０３、８０４或いは８０９  ８１０等が更に使用されるものであっても良い。
【００４１】
又、本発明に於ける当該疑似関節構造体１に於いて、複数個の個別的な関節群が略直列的に配置されている様な関節を表す当該疑似関節構造体１、例えば、指関節に関する当該疑似関節構造体１に於いては、複数個の当該疑似骨部材２又は３がその長手方向に沿って直列的に連結されているものであっても良い。
更に、上記した通り、本発明に於ける当該疑似関節構造体１に於いて、当該疑似関節構造体の当該第１と第２の疑似骨部材の相互接合面部、つまり当該関節頭５或いは当該関節窩６の何れか一方或いはその双方の一部分に、例えば、図８に例示される様な穴部８６若しくはスリット状の溝部８７が設けられているものであっても良い。
即ち、本発明に於ける当該疑似関節構造体１に於いては、上記した通り、何れかの当該疑似関節構造体の当該第１と第２の疑似骨部材間に於ける当該脱臼状態を形成し維持するために、当該第１と第２の疑似骨部材の少なくとも一方に当該脱臼状態の方向性を指定する為の当該伸縮性弾発部材２４、或いは当該連結部材２１若しくは当該補助線状体が通過しうる溝部８７或は穴部８６が少なくとも１個形成されているものである。
【００４２】
一方、本発明に於ける当該疑似関節構造体１に於いて、当該疑似関節構造体が膝関節である場合には、当該疑似関節構造体は、上記した様な基本的な疑似関節部の構造を有すると共に、更に膝蓋骨が適宜の伸縮性弾発部材と適宜の補助線状体を介して、当該第１及び第２の疑似骨部材の接合部位近傍に変位可能な状態で配置されているものである事も好ましい具体例である。
上記した通り、本発明に係る当該疑似関節構造体１は、人体が持っている各種の関節構造体の構成と機能を有する疑似関節構造体であるが、従来知られている単なる関節構造の模型ではなく、当該人体が持っている各種の関節構造体の正常な動作に略近似する様な動作が実現される様に構成されているものであり、例えば、各種の関節構造体の正常な状態に於いて脱臼が発生する際にそれぞれの関節構成体にどのような力が作用するかを事前に検査、分析し、それに近似した力が入力されると脱臼する様に設計されたものであると同時に、それぞれの個別的特定の関節構造体に於いて、事前の多くの実験や観察を通じて得られた情報を元にして、良く発生する或いは頻繁に発生するタイプの脱臼の状況を把握し、当該それぞれの脱臼状態を容易に再現性良く再現させる事が出来ると共に、当該発生させた脱臼の状態をその形のまま静止させて保持し、且つ観察出来る様にするものであり、更に、当該脱臼発生状態から当該関節構造体の正常な状態に戻す操作である整復処理する際に、当該脱臼状態に適した方法で、実際に、如何なる関節部分をどの様な方向にどの程度動かし或いはその際にどの様な力を印加して如何なる方向に引き延ばすか若しくは押し込むかの操作をしたら良いかについて、当該適正な操作を体験しながら実際の整復方法の訓練を繰り返し実行する事が出来る。
従って、本発明に係る疑似関節構成体では、脱臼患者に直接触れながら、整復操作を実習方々会得する事が可能となるので、当該患者に苦痛を与える事無く、独自に、しかも容易に短期間で、当該脱臼の整復処理操作を体得する事が可能となる。
【００４３】
以下に、実際の人体上のそれぞれの関節部に対応した、本発明に係る当該疑似関節構造体１に関する具体的な構造例を個別に図面を参照しながら詳細に説明する。
１．指関節に対応した疑似関節構造体：
本発明に於ける指関節に対応した当該疑似指関節構造体８０の構成の一具体例として、手の骨部に於ける人差し指に対応した当該疑似指関節構造体８０の例を以下に示す。
即ち、図７に示す様に、一般的な人間の手に於ける人差し指は、中手骨７１と、基節骨７２と、中節骨７３及び末節骨７４がそれぞれの長手方向軸に沿って、直列的に配置されているものであり、当該中手骨７１の関節頭部７１５と当該基節骨７２の関節窩７２６とが対向して中手指節間関節７５を形成し、当該基節骨７２の関節頭７２５と、当該中節骨７３の関節窩７３６とが対向して近位指節間関節７６を形成し、且つ、当該中節骨７３の関接頭７３５と当該末節骨７４の関節窩７４６とが対向して遠位指節間関節７７を形成しているものである。
【００４４】
係る実際の指関節に対応した本発明に係る当該疑似関節構造体８０の構成の一例としては、図８（Ａ）乃至図８（Ｆ）に示す様に、適宜の形状を呈する補助支持部８５の一端部に設けられた、当該中手骨７１に対応する第１の疑似骨部材８１が配置されており、当該第１の疑似骨部材８１の当該第１の補助支持部８５の一端部から突出している当該第１の疑似骨部材８１の自由先端部には、関接頭部８１５が設けられている。
又、当該第１の疑似骨部材８１の当該関接頭部８１５に対向して、基節骨７２に対応する第２の疑似骨部材８２が、当該第２の疑似骨部材８２の一端部に設けられている関節窩８２６が当該関接頭部８１５に対向する様に、隣接して配置されており、上記した中手指節間関節７５に相当する関節部８７５を形成するものである。
更に、当該第２の疑似骨部材８２の他端部に設けられている関節頭８２５に対向して、中節骨７３に対応する第３の疑似骨部材８３であって、当該第３の疑似骨部材８３の一端部に設けられている関節窩８３６が対向する様に、隣接して配置されており、上記した近位指節間関節７６に相当する関節部８７６を形成するものである。
更に、当該第３の疑似骨部材８３の他端部に設けられている関節頭８３５に対向して、中末節骨７４に対応する第４の疑似骨部材８４であって、当該第４の疑似骨部材８４の一端部に設けられている関節窩８４６が対向する様に、隣接して配置されており、上記した遠位指節間関節７６に相当する関節部８７７を形成するものである。
【００４５】
本具体例に於いては、上記した各疑似骨部材８１乃至８４は、それぞれの疑似骨部材の長手方向軸に沿って、直列状に連結固定されるものであり、当該連結には、当該第１の補助支持部８５内に配置された適宜の伸度、伸長特性を有するスプリング等からなる伸縮性弾発部材２４と当該伸縮性弾発部材２４に連結された連結部材２１とによって、それぞれの連結部位に於いて、相互に適度の接圧応力が印加される様に構成されるものである。
例えば、当該第１の補助支持部８５内に配置された適宜のスプリング２４の一端部を当該第１の補助支持部８５の適宜の部位に於いて、適宜の固定手段２７を使用して固定配置すると同時に、当該スプリング２４の他方の端部には、適宜の強度或いは低い伸度を有する適宜の材料からなる連結部材２１を連結し、当該連結部材２１を、上記した各疑似骨部材の内部空間部を挿通させて、当該第４の疑似骨部材８４の内部の適宜の部位に適宜の固定手段（第２の補助支持部）２８を介して固定する。
本具体例に於ける当該個々の疑似骨部材８１乃至８４及び当該第１の補助支持部８５は、前記した様な適宜の材料で略中空状の円筒体或いは半円筒体の形成しており、その両端部は、それぞれ当該関節頭５と関節窩６が設けられており、当該部分に当該連結部材２１が通過する為の通過孔８６を除いては閉鎖状態を形成している。
【００４６】
実際の指関節に於いて発生する脱臼の形態の代表的な状態の一例は、図８（Ｆ）に示される様に、ある関節部に於いて当該関節頭部５が関節窩部６から横方向にずれて、離脱することにより発生するものである。
係る指関節部に於ける脱臼の状態を本発明に係る当該疑似指関節構造体１で出来るだけ忠実に表現する為に、具体的には、以下に示す様な構成を採用している。  
つまり、本具体例に於いては、当該疑似関節構造体１に於いて、意図的に脱臼状態を形成させる為に、図８（Ｅ）に示す様に、当該個々の疑似骨部材８１乃至８４及び当該補助支持部８５が相互に接合しあって形成されている個々の関節部８７５乃至８７７の少なくとも一つに於ける当該関節頭５若しくは当該関節窩６の何れか一方若しくは双方に、当該関節頭５若しくは当該関節窩６の略中心部に設けられた当該通過孔８６から放射状に当該関節頭５若しくは当該関節窩６の周縁部方向に延びた少なくとも一つの溝部８７が設けられる事が望ましい。
当該溝部８７の長さや深さ或はその本数は特に限定されるものではないが、当該指関節に於ける脱臼が発生しやすい骨部と発生する脱臼の方向や脱臼の形状を勘案して、適宜決定することが出来る
図８（Ｃ）及び図８（Ｄ）は、当該疑似指関節部に於ける特定の脱臼状態を発生させた状態を示している。
本発明者が実際に作成した当該疑似指関節構造体１のモデルに於いて、上記した指関節の脱臼の状況を表現した状態を撮影したものが、参考図である図３２及び図３３に示されている。
【００４７】
本発明に於ける当該疑似指関節部に於いて、一例として、図８（Ｃ）に示す様な脱臼状態が発生した場合に、当該関節部に対して脱臼整復処理する場合に、脱臼整復処理者は、図８（Ｃ）に示す矢印Ｘの方向に当該脱臼した関節部の疑似骨部材を所定の張力を掛けて伸長し、その後、当該伸長力を解除することにより、脱臼を整復させることが出来る。
つまり、本発明に於ける当該疑似関節構成体１は、脱臼整復処理に対して未経験の脱臼整復処理者、トレーナーに、当該特定の関節部に於ける特定の脱臼を整復処理する場合に、如何なる方向に、どのような力を印加して、どの程度当該脱臼した骨部を引張、どのようにして、当該脱臼した関節部の骨部を元の状態に戻すかについて、繰り返し実習、訓練を行う事が可能であり、当該未経験の脱臼整復処理者、トレーナーが短期間でその技術を習得することが出来るという効果を有するものである。
【００４８】
２．肘関節に対応した疑似関節構造体：
次に、本発明に於ける、肘関節に対応した当該疑似関節構造体１の構成の一具体例を以下に示す。
即ち、図９（Ａ）及び図９（Ｂ）に示す様に、一般的な人間の肘関節は、腕尺関節９０と称されており、基本的には、上腕骨９１と尺骨９２及び橈骨９３の３個の骨が一つの関節包９４に包まれて形成されており、特には、当該上腕骨９１の下端部に形成されている当該関節頭５に相当する上腕骨滑車９５と当該尺骨９２の上端部に形成されている当該関節窩６に相当する、湾曲状の滑車切痕９６との間に形成される上腕尺関節部９７と、当該上腕骨９１の別の下端部に形成されている当該関節頭５に相当する上腕骨小頭９８と、当該橈骨９３の上端部に形成されている、関節窩６に相当する関節環状面部９９との間に形成される腕橈尺節部９００を含んで構成されている。
【００４９】
係る実際の肘関節に対応した本発明に係る当該疑似肘関節構造体１０１の構成の一例としては、図１０（Ａ）乃至図１０（Ｂ）に示す様に、当該上腕骨小頭９８に対応する疑似上腕骨小頭１０９８と、当該上腕骨滑車９５に対応する疑似上腕骨滑車１０９５とがその一端部に形成されている、当該上腕骨９１の一部に対応する疑似上腕骨部１０４と、当該橈骨９３に対応する疑似橈骨の一部であって、その一端部に当該疑似上腕骨小頭１０９８と相互に嵌合する当該関節環状面部９９に対応する疑似関節環状面部１０９９を有する疑似橈骨１０６と、当該尺骨９２に対応する疑似尺骨の一部であって、その一端部に疑似上腕骨滑車１０９５と相互に嵌合する当該滑車切痕９６に対応する疑似滑車切痕１０９６を有する疑似尺骨１０７とから構成され、それらが相互に近接して配置されることによって、疑似上腕尺関節部１０８と疑似腕橈尺節部１０９とが形成されており、且つ当該疑似上腕骨部１０４の他方の端部は、適宜の補助支持機能を有する第１の補助支持部材１０２に接続されており、又、当該疑似橈骨１０６と、当該尺骨９２に対応する疑似尺骨の一部であって、その一端部に疑似上腕骨滑車１０９５と当該疑似尺骨１０７の個々の他方の端部は、適宜の補助支持機能を有する第２の補助支持部材１０３に接続されている。
【００５０】
上記した図１０（Ａ）乃至図１０（Ｂ）に於いては、当該疑似肘関節構造体１０１は、肘部分が伸ばされて直線状態にある場合の構成例を示したものである。
本具体例に於いては、当該各疑似骨部材及び当該各補助支持部材の形状、各寸法は特に限定されるものではないが、実際の肘関節の大きさを勘案して任意に決定することが可能である。
一方、当該各疑似骨部材及び当該各補助支持部材は、何れも略円筒形で中空状に形成される事が望ましく、又各部材の形成材料も特に限定されるものではなく、前記した具体例で使用された原材料を使用することが可能である。
【００５１】
一方、本具体例に於いては、上記した各疑似骨部材１０４、１０６、１０７は、それぞれの疑似骨部材の長手方向軸に沿って、直列状に連結固定されるものであり、当該連結には、当該第１の補助支持部１０２の所定の部位２７にその一端部が配置固定された適宜の伸度、伸長特性を有するスプリング等からなる伸縮性弾発部材２４と、当該伸縮性弾発部材２４の他方の端部に一方の端部が連結され、その他方の端部の当該第２の補助支持部１０３内に配置された適宜の部位２８に固定されている連結部材２１とによって、それぞれの疑似関節部に於いて、それぞれの疑似骨部材同士が、相互に適度の接圧応力が印加される様に接合された構成を有するものである。
本具体例に於いて使用される当該連結部材２１は、何れも当該各疑似骨部内部の中空空間部内に配置されるものであり、その材質、固定方法、伸度、伸長力、強度等は、前記した具体例の場合と同様に任意に設定することが可能である。
当該連結部材２１は、当該疑似尺骨１０７と当該疑似橈骨１０６の内部を個別に通過させることが望ましく、当該個々の連結部材２１を一つのスプリング２４と連結させておく事が好ましい。
或いは、前記した様に、当該伸縮性弾発部材２４の端部と当該連結部材２１の端部との接合係合部に、滑車手段１２５を配置する事も可能である。
【００５２】
又、本具体例では、更に別の連結部材を当該疑似肘関節部１０１の外表面を部分的に這わすことによって、靭帯或は腱が存在している状態を実現させることも可能である。
本具体例に於ける当該個々の疑似骨部材１０４、１０６及び１０７は、前記した様に適宜の材料で略中空状の円筒体の形成しており、その両端部は、それぞれ当該関節頭５と関節窩６がそれぞれに設けられており、当該部分に当該連結部材２１が通過する為の通過孔８６を除いては閉鎖状態を形成している事が望ましい。
【００５３】
更に詳細に説明するならば、図１０（Ａ）は、本発明に係る当該疑似肘関節構造体１０１を正面から見た正面図であって、当該疑似肘関節部１０１に於ける当該疑似上腕骨部１０４と当該疑似尺骨１０７及び当該疑似橈骨１０６との配置関係が明確に示されており、特に、当該疑似上腕骨滑車１０９５の一部と、これと相互に嵌合する当該疑似滑車切痕１０９６の一部には、当該連結部材２１が挿入され通過しうる所定の大きさの穴部８６とそれと連通している、所定の形状並びに所定の長さと幅を有する溝部８７とが相互に対向する様に配置されており、同様に、当該疑似上腕骨小頭１０９８の一部と、これと相互に嵌合する当該疑似関節環状面部１０９９の一部にも、当該連結部材２１が挿入され通過しうる所定の大きさの穴部８６とそれと連通している、所定の長さと幅を有する溝部８７が相互に対向する様に配置されている。
本具体例に於いては、当該溝部８７は、前述した当該連結部材２１が、当該疑似肘関節部構成体１０１が正常な状態にある場合に当該各疑似骨部材１０４、１０６及び１０７を貫通して通過する為に設けられた穴部８６と連通している事が好ましい。
尚、図１０（Ａ）では、当該疑似肘関節部１０１に於ける肘部が直線状に伸びた状態にある場合の正面図である。
【００５４】
一方、図１０（Ｂ）は、図１０（Ａ）と同様に、本発明に係る当該疑似関節構造体１０１に於ける肘部が直線状に伸びた状態にある場合の裏面図であり、図１１（Ａ）は、本発明に係る当該疑似関節構造体１の左側面図であって、当該肘関節部が直角に曲げられている場合の状態を示す図である。
又、図１１（Ｂ）は、当該肘関節部が直角に曲げられている場合の状態を示す斜視図である。
上記した何れの図に於いても、当該伸縮性弾発部材２４と当該連結部材２１の当該第１と第２の補助支持部材１０２、１０３に於ける取付状態の例を示すと共に、当該各疑似骨部材内に於ける当該連結部材２１の配置状況の例を示している。
本発明者が実際に作成した当該疑似肘関節構造体１０１のモデルの一具体例の構成を示す写真が参考図の図３４に示されており、又、当該モデルに於ける脱臼状態の一例を示す写真が、参考図の図３５に示されている。
又、図１２（Ａ）及び図１２（Ｂ）は、本発明に係る当該疑似肘関節構造体１０１に於いて、良く発生する脱臼状態の代表的な形成例の一例を示す側面図であり、関節頭５である当該疑似上腕骨滑車１０９５の一部が、関節窩６である当該疑似滑車切痕１０９６からその一部が離脱している状況を示すものである。
【００５５】
即ち、図１２（Ａ）では、当該関節窩６から、当該疑似上腕骨部疑似骨部材１０４の当該関節頭５が当該疑似上腕骨部疑似骨部材１０４の長手方向にずれたことによって、脱臼が発生した場合の状態を示している。
係る脱臼状態では、当該連結部材２１は、図示の様に、当該疑似上腕骨滑車１０９５と当該疑似滑車切痕１０９６に設けられた当該溝部８７に引き込まれた状態で当該両疑似骨部材１０９５と１０９６の内部空間を斜めに走る様な形状を示して当該脱臼状態を静止安定状態に維持することが可能となる。
係る状況は、当該疑似上腕骨小頭１０９８と当該疑似関節環状面部１０９９との間でも同じように発生している。
また、図１２（Ｂ）は、本発明に係る当該疑似関節構造体１に於いて別の脱臼状態が発生した場合の一例を示す側面図であり、当該疑似上腕骨部１０４が、当該疑似尺骨１０７と当該疑似橈骨１０６の方向に折れ曲がり、当該疑似上腕骨滑車１０９５が、当該疑似滑車切痕１０９６から完全に離脱している状況を示すものである。
係る脱臼状態に於いでは、当該連結部材２１は、図示の様に、当該疑似上腕骨滑車１０９５に設けられた当該溝部８７の下端部で折れ曲がり、当該疑似滑車切痕１０９６に設けられた当該溝部８７を介して当該疑似滑車切痕１０９６内部に引き込まれる。
係る構成によって、当該脱臼状態を静止安定状態に維持することが可能となる。
図１２（Ｃ）は、そのような状況を当該疑似滑車切痕１０９６側から見た正面図であり、図１２（Ｄ）は、その斜視図である。
係る脱臼状態を撮影した写真が参考図である図３５に示されている。
又、係る状況は、当該疑似上腕骨小頭１０９８と当該疑似関節環状面部１０９９との間でも同じように発生している。
【００５６】
即ち、本具体例に於いては、図１０乃至図１２に示す様に、当該疑似肘関節構造体１０１に於いて、意図的に脱臼状態を形成させる為に、当該個々の疑似骨部材１０４、１０６及び１０７が相互に接合しあって形成されている個々の関節部１０９及び１０８の少なくとも一つに於ける当該関節頭５若しくは当該関節窩６の何れか一方若しくは双方に、当該関節頭５若しくは当該関節窩６の略中心部に設けられた当該通過孔８６と、当該過孔８６から、例えば図８（Ｅ）に示されている様な放射状に当該関節頭５若しくは当該関節窩６の周縁部方向に延びた少なくとも一つの溝部８７が設けられる事が望ましい。
当該溝部８７の長さや深さ或はその本数は特に限定されるものではないが、当該肘関節に於ける脱臼が発生しやすい骨部と、発生する脱臼の方向、や脱臼の形状を勘案して、適宜決定することが出来る
【００５７】
本発明に於ける当該疑似肘関節部に於いて、一例として、図１２（Ａ）及び図１２（Ｂ）に示す様な脱臼状態が発生した場合に、当該関節部に対して脱臼整復処理する場合に、脱臼整復処理者は、図１２（Ａ）及び図１２（Ｂ）に示す矢印Ｙの方向に当該脱臼した関節部の疑似骨部材を所定の張力を掛けながら持ち上げつつ旋回させ、その後、当該伸長力を解除することにより、脱臼を整復させることが出来る。
つまり、本発明に於ける当該疑似関節構成体１は、脱臼整復処理に対して未経験の脱臼整復処理者、トレーナーに、当該特定の関節部に於ける特定の脱臼を整復処理する場合に、如何なる方向に、どのような力を印加して、どの程度当該脱臼した骨部を引張、どのようにして、当該脱臼した関節部の骨部を元の状態に戻すかについて、繰り返し実習、訓練を行う事が可能であり、当該未経験の脱臼整復処理者、トレーナーが短期間でその技術を習得することが出来るという効果を有するものである。
【００５８】
３．足関節に対応した疑似関節構造体：
次に、本発明に於ける、足関節に対応した当該疑似足関節構造体１４１の構成の一具体例を以下に示す。
即ち、図１３に示す様に、一般的な人間の足関節は、腓骨１３１と脛骨１３２及び距骨１３３とによって、構成されており、通常距腿関節１３４と称されており、基本的には、当該脛骨の下関節面１３５と当該脛骨の端部内面１３６及び当該腓骨の下端部内面１３７とにより関節窩６が形成されると共に、当該距骨１３３の上面部に形成された距骨滑車１３８によって、関節頭５が形成され、その両者が相互に嵌合しあって当該距腿関節１３４が形成されているものである。
【００５９】
係る実際の脚関節に対応した本発明に係る当該疑似足関節構造体１４１の構成の一例としては、図１４（Ａ）乃至図１６（Ｂ）に示す様に、当該腓骨１４３と脛骨１４４とを一体化した外観形状を呈する中空円筒体からなる疑似脚部１４２と、拒骨部、足根骨部、中足骨部、及び指骨部等が一体化されて内蔵された外観形状を示す中空状の擬似足先部１５１とを有し、当該疑似脚部１４２の下端部と当該擬似足先部１５１の上端縁部との間に、擬似距腿関節１４８が形成されているものである．
本具体例に於ける当該擬似距腿関節１４８についてより詳細にその構成を説明するならば、図１４（Ａ）及び図１４（Ｂ）に示す様に，当該疑似脚部１４２の下端部に一体的且つ連続的に形成された、当該脛骨１３２の下端部関節面１３５に対応する疑似脛骨１４４の疑似下端部関節面１４６と、当該脛骨１３２の端部内面１３６に対応する疑似脛骨１４４の下端部内面１４７及び当該腓骨１３１の下端部内面１３７に対応する疑似腓骨１４３の疑似下端部内面１４９とにより疑似関節窩６が形成されると共に、当該疑似距骨１４５の上面部に形成された当該距骨１３３の当該距骨滑車１３８に対応する疑似距骨滑車１５０によって、疑似関節頭５が形成され、その両者が相互に嵌合しあって当該疑似距腿関節１４８が形成されているものである。
【００６０】
本具体例に於いては、当該疑似脛骨１４４の下端部と当該疑似腓骨１４３の下端部とは、個別的独立的に形成したものであっても良く、或はその両者を合体した形で、一体的に形成したものであっても良い。
又、本発明に於ける当該疑似足関節構造体１４１に於いては、図１５（Ａ）及び図１５（Ｂ）に示す様に、略中空状の円筒体からなる当該第２の疑似足疑似骨部材に相当する当該疑似脚部１４２と、同様に略中空状の匡体からなる当該第１の疑似足疑似骨部材に相当する当該疑似足先部１５１とが、当該疑似距腿関節１４８を介して、相互に所定の接圧力の下で接合せしめられており、且つ、当該疑似脚部１４２は、当該疑似足先部１５１に対して、当該疑似距腿関節１４８を介して、前後、左右に傾斜する様に揺動す出来るように構成されている。
【００６１】
そして、係る状態を実現する為に、本発明に於ける当該具体例では、当該疑似脚部１４２の上方端部の適宜の部位Ｐ２に設けられた適宜の固定手段２７にその一端部３０が固定された当該伸縮性弾発部材２４を当該疑似脚部１４２の内部空間部内に配置すると同時に、当該伸縮性弾発部材２４の一方の端部３１に適宜の強度、伸度を有する適宜の連結部材２１の一方の端部３３を接続させ、その他方の端部３５を当該疑似足先部１５１の上側表面の内面に適宜の固定手段２８を介して接続固定したものである。
本具体例に於いては、２本の当該連結部材２１を使用し、それぞれを当該伸縮性弾発部材２４の端部から当該疑似距腿関節１４８の内部を通過させて当該疑似足先部１５１の上側表面に固定したものである。
即ち、当該連結部材２１は、図１５（Ｃ）に示す様に、当該疑似距腿関節１４８の当該関節窩６が形成されている面に設けられた２つの穴部８６と、当該疑似距骨１４５の上面部に形成された当該疑似距骨滑車１５０による疑似関節頭５が形成されている面に設けられた２つの穴部或はスリット状の溝部８７とを貫通して、固定部２８に接合されている。
尚、図１５（Ｃ）は、当該疑似脚部１４２が少しつま先に倒れた様な脱臼状態にある状況を踵側から見た斜視図である。
本具体例に於ける当該２本の連結部材２１が、当該疑似足部１５１の上側表面に当該固定手段２８を介して固定されている状態は、背面図である図１５（Ｂ）に示す、当該疑似足部１５１の裏面図に示されている。
尚、本発明に於ける別の具体例に於いては、図１５（Ａ）に於いて、当該伸縮性弾発部材２４の下端部３１に接続される当該２本の連結部材２１を一本の連続した糸条体として、その折り曲げ部分３３を、当該伸縮性弾発部材２４の下端部３１に接続させる構成としても良く、更に、係る具体例に於いては、図１５（Ｄ）に示す様に、適宜の滑車手段２０００を使用して、係合させる事も好ましい具体例である。
【００６２】
更に、本発明に係る当該具体例に於いては、必要に応じて、当該伸縮性弾発部材２４に平行して当該連結部材２１と同一或いは異なる伸度、強度を有する補助線状体５０を配置し、当該補助線状体５０の一方の端部５１を、当該伸縮性弾発部材２４の一端部３０が固定されている当該疑似脚部１４２の上部に於いて、当該伸縮性弾発部材２４の固定手段２７が配置されている部位Ｐ２の近傍部位Ｐ１に、適宜の固定手段５５を介して接合すると共に、当該補助線状体５０の他方の端部５２を、当該伸縮性弾発部材２４の当該他端部３１若しくは当該連結部材２１の上端部に接合させた構成を採用するものである。
係る具体例に於いては、当該補助線状体５０は，靭帯若しくは腱の機能と類似した機能を発揮する様に構成されているものであって、当該補助線状体５０の当該疑似脚部１４２の上端部に接合されている当該一端部５１は、当該疑似足部１４２に着脱自在に接合されている事が好ましい具体例である。
当該補助線状体５０を、当該疑似脚部１４２の上端部に着脱自在に接合させる為の具体的な構成の例は、上記した図６（Ｂ）に示す様な構成を採用するものであっても良い。
本発明者が実際に作成した当該疑似足関節構造体１４１のモデルに於ける上記した各構成の具体例の写真が、参考図の図３６に示されており、その脱臼状態の一例を示す写真が参考図の図３７ に示されている。
【００６３】
係る構成を採用することによって、本発明に係る当該補助線状体５０の当該一端部５１を当該疑似脚部１４２から離反させることにより、当該関節１の脱臼状態に於いて、靭帯或いは腱が切断されている状態を顕出させる様に構成されているものである。
【００６４】
即ち、本具体例に於いては、当該疑似関節構造体１４１に於いて、当該補助線状体５０が、実際の関節部１４８に於ける靭帯或いは腱の機能と類似した機能を発揮する様に構成されているものであり、当該補助線状体５０を当該疑似脚部１４２に対して着脱自在に接合固定しておく事によって、当該疑似関節部１４８に於ける靭帯或いは腱の機能が正常に機能している場合と、当該靭帯或いは腱が切断或いは破壊されてその機能が消失されている場合との状況を作り出せることになり、当該整復処理操作を体験、学習する人にとっては、上記した両方の脱臼状態に対処する整復処理操作を体験・実習する事が可能となる。
本具体例に於ける当該各構成部材等の材質、特性、形状、寸法等は、上記した各具体例に於いて使用されたものと同じものを使用する事が可能である。
更に、本具体例に於ける当該疑似距腿関節１４８に於いては、当該疑似脚部１４２が図１５（Ｃ）に於ける矢印Ｙの方向に、或いは図１６（Ａ）或は図１６（Ｂ）に於ける矢印Ｚの方向に、左右若しくは前後に遥動傾斜させる事が可能であるので、疑似距腿関節１４８に関する種々の関節脱臼の状態を再現する事が可能である。
本発明に於ける当該疑似距腿関節１４８に於いて、一例として、上記した様な脱臼状態が発生した場合に、当該距腿関節１４８に対して脱臼整復処理する場合には、脱臼整復処理者は、当該疑似脚部１４２をその長手方向に、所定の張力を印加しながら引張上げ、傾斜した当該疑似脚部１４２を垂直方向に戻しながら、当該印加した張力を開放することにより、当該脱臼が整復される。
【００６５】
つまり、本発明に於ける当該疑似関節構成体１４１は、脱臼整復処理に対して未経験の脱臼整復処理者、トレーナーに、当該特定の関節部に於ける特定の脱臼を整復処理する場合に、如何なる方向に、どのような力を印加して、どの程度当該脱臼した骨部を引張、どのようにして、当該脱臼した関節部の骨部を元の状態に戻すかについて、繰り返し実習、訓練を行う事が可能であり、当該未経験の脱臼整復処理者、トレーナーが短期間でその技術を習得することが出来るという効果を有するものである。
【００６６】
又、足関節に関する本発明の他の具体例を、図１７を参照しながら詳細に説明する。
即ち、本具体例に於いては、図５に於いて説明した本発明の基本的な１具体例の構成を有する一態様を示すものである。
即ち、当該具体例に於いては、当該疑似距腿関節１４８は、当該疑似脚部１４２が、当該疑似足先部１５１に対して，捩じられる事によって、当該疑似距腿関節１４８内に脱臼が発生した場合の状況を再現する様に構成された疑似足関節構造体１４１である。
当該具体例の構成の一例は、図１７（Ａ）に示す様に、基本的には、当該疑似足関節構造体１４１の当該第２疑似骨部材である当該疑似足先部１５１の底部１５２に設けられた適宜の台座部１５３から略垂直方向に延展する第１の中空状円筒体１５４を設けると同時に、当該第１の疑似骨部材である当該疑似脚部１４２の内に、当該第１の中空状円筒体１５４と摺動嵌合する略垂直方向に固定された第２の中空状円筒体１５５とを設け、且つ、当該第１若しくは第２の中空状円筒体１５４、１５５の外表面の適宜の部位に、適宜のテ―パ状部を有するカム状部材１５６と、当該カム状部材１５６に摺動し且つ当接する係止部１５７を配置するものである。
【００６７】
即ち、係るカム機構としては、当該第２若しくは第１の中空状円筒体１５５、１５４の外表面であって、当該カム状部材の係止部１５７と対応する適宜の部位に、当該カム状部材の係止部１５７と係合する適宜の斜面を有するカム部１５６を固定配置し、更に、当該第１及び当該第２の中空状円筒体１５４、１５５の内部に、その一端部３１が当該第１の中空状円筒体１５４の内部に設けた適宜の固定手段２８を介して、当該疑似足部１５１の底部１５２に固定配置され、その他方の端部３０が当該第２の中空状円筒体１５５の内部に設けられた適宜の固定手段２７に接続されて固定配置された伸縮性弾発部材２４を直接或は適宜の連結部材２１を介して配置し、それによって、当該第１と第２の疑似骨部材１４２と１５１同士が、当該疑似距腿関節１４８において適宜の押圧力によって相互に接圧され、少なくとも当該第２の疑似骨部材である当該疑似脚部１４２を矢印Ｑの方向に沿って、所定の旋回角度を以って捻じられることによって、当該疑似距腿関節１４８に於ける当該関節頭５と当該関節窩６の少なくとも一方が矢印Ｐの方向に沿って上下方向に所定の間隔Ｈを有する様に相互に離反した状態に静止される様に構成されているものである。
従って、ねじれによる脱臼の状態が表現されることになる。
【００６８】
本具体例に於ける当該カム状部材１５６の係止部１５７は、その形状、配置位置、突出高さ、材料等は特に限定されるものではなく、周知の部材、例えば金属製或いは合成樹脂製、珪素、炭素繊維等を複合混在させた高強度の合成樹脂で構成された、ボルト、フック、突起、溝等が使用されるものであり、その形状、配置位置、突出高さ等は、当該疑似距腿関節１４８に於いて予想される脱臼状態の形状、状況等を勘案して、適宜選択して決定すればよい。
本具体例に於ける当該カム状部材１５６のカム部の形状、つまり、当該カムのピッチ及び波形等も特に特定されるものではないが、当該脱臼時に当該第２の疑似骨部材に相当する当該疑似脚部１４２が、当該疑似足部１５１に対して、どの程度の旋回角度で捻じれて脱臼するかに関する多数の実測データを基礎に決定する事が可能であり、又、その際、当該脱臼に際して、当該疑似距腿関節１４８に於ける当該関節頭５と当該関節窩６とがどの程度、主に上下方向に相互に離反するかに関する多数の実測データを基礎に当該カムのピッチ及び波形等を決定する事が可能である。
例えば、図５（Ｃ）及び図５（Ｄ）に示されるカム機構と同様の構成を示す図１７（Ｂ）では、当該カム部１５６のカム面Ｂと当該係止部１５７とが係合している部位Ｘ１は、当該脱臼が発生して、当該疑似脚部１４２が最も高い位置に配置されているのであり、又、当該カム部１５６のカム面Ａと当該係止部１５７とが係合している部位Ｘ２は、脱臼が整復されて正常な距腿関節１４８に戻った場合の部位を示すものである。
本発明者が実際に作成した当該疑似足関節構造体１４１のモデルに於ける上記した各構成の具体例の写真が、参考図の図３８乃至図３９ に示されている。
【００６９】
尚、上記した本具体例に於ける、脱臼した関節の整復処理操作としては、例えば、当該捻じれている疑似脚部１４２を、その長手方向に所定の引張張力を印加して、上方に持ち上げ、当該カム部の脱臼状態を保持する傾斜面Ｂから当該カム状部材の係止部１５７との係合状態を解消させ、その後、当該疑似脚部１４２の捻じれ状態を解消させる為に、当該疑似脚部１４２を反対方向に旋回させて、元の関節の配置状態に戻す操作を行うものである。
然しながら、本具体例に於いては、上記操作後に、脱臼整復操作トレーナが、若干当該疑似脚部１４２を元の方向に僅かに旋回させるだけで、当該伸縮性弾発部材２４の収縮力によって、当該カム部１５６のカム面Ａは、自動的に当該係止部１５７上を摺動して、脱臼が発生する以前の正常位置Ｘ２に戻る様に構成されている。
【００７０】
４．肩関節に対応した疑似関節構造体：
次に、本発明に於ける、肩関節に対応した当該疑似肩関節構造体１９１の構成の一具体例を以下に示す。
即ち、図１８に示す様に、一般的な人間の肩関節１８０は、肩甲骨１８１の一部に設けられた比較的浅い深さを持つ関節窩６と、上腕骨部１８２の一方の端部に設けられている比較的大きな球状を持つ関節頭５とが相互に嵌合されて構成されている球関節である。
【００７１】
係る実際の肩関節１８０に対応した本発明に係る当該疑似肩関節構造体１９０の構成の一例としては、図１９（Ａ）に示す様に、当該肩甲骨１８１に対応する、その一表面部に浅い湾曲状凹み部が形成されている関節窩６を有する疑似肩甲骨１９１と、当該上腕骨部１８２に対応する、疑似肘関節部１０１をその一端部に有する疑似上腕骨部１９２の他方の端部に形成された略球状を呈する上腕骨頭を形成する関節頭５とが、適宜の接圧力の下に、その両者が相互に接合され、且つ嵌合しあって当該疑似肩関節１９０が形成されているものである。
本発明に係る当該疑似肩関節構造体１９０の構成の一具体例に付いて、更に詳細に説明するならば、本発明に於ける当該関節窩６を有する適宜の形状に形成された当該肩甲骨の一部の形状に対応させた当該疑似肩甲骨１９１を、適宜の中空状内部形状を有する第１の補助支持手段１９２２の一部の表面に固定して取り付けると共に、当該第１の補助支持手段１９２２内の内壁の一部に、その一端部１９３０を適宜の固定手段１９２７を介して取り付けられた少なくとも１本、好ましくは２本の、所定の伸度、伸長回復率を有する伸縮性弾発部材２４を配置せしめ、当該それぞれの伸縮性弾発部材２４の他方の端部１９３１に適宜の強度或は伸度を有する連結部材２１の一端部を接続させ、当該連結部材２１の他方の端部１９３３を当該第１の補助支持手段１９２２の表面部に形成された穴部１９３２を貫通させて、且つ当該関節窩６の外側部を通過させた後、当該関節頭５の表面に設けられた適宜の固定手段１９３４に接合固定するか、又は、当該関節頭５の表面に設けられた適宜の貫通孔１９３５を介して当該関節頭５内部に導入し、当該関節頭５内部に設けられた適宜の固定手段１９３４に接合固定する様に構成したものであっても良い。
【００７２】
本具体例では、当該連結部材２１は、少なくとも２本を並列させて、当該関節頭５の所定の部位から当該関節窩６の側壁面を平行な状態で通過させて、当該伸縮性弾発部材２４の一つの端部に接合させると同時に、同じ様に他の２本の当該連結部材２１を同様の配置形態を保持せしめながら、他方の当該伸縮性弾発部材２４の一つの端部に接合させる様に構成するものである。
勿論、本発明に於ける当該具体例に於いては、当該伸縮性弾発部材２４を一つとして、これに４本の当該連結部材２１を接続させる様に構成しても良い。
又、本具体例に於いては、当該連結部材２１の他方の端部１９３３を適宜の接合固定手段１９３４により当該関節頭５に設けた適宜の接合手段により接合したものであっても良いが、場合によっては、当該一つの伸縮性弾発部材２４に接続されている当該連結部材２１は、連続した状態で、当該関節頭５内でループ状を形成した形で当該関節頭５の接合されているものであっても良い。
即ち、本具体例に於いては、当該関節窩６と当該関節頭５とが、当該伸縮性弾発部材２４の伸長回復力により適宜の接圧力下に相互に嵌合しあって、正常な疑似肩関節部１９０を構成している。
係る具体例に於いても、前記した通り、当該複数個の伸縮性弾発部材２４の端部と一本の連続した当該連結部材２１を適宜折り曲げて、図５０に示す様に、各必要部位を循環して接続させる様に構成したものであっても良く、更には、当該伸縮性弾発部材２４の端部と当該連結部材２１との接合部には、適宜の滑車手段１２５を取り付ける事も可能である。
【００７３】
本具体例に於いて使用される当該疑似関節窩６や当該疑似関節頭５の形状、寸法、或はその材質、固定方法、及び当該伸縮性弾発部材２４や当該連結部材２１の伸度、伸長力、強度等は、前記した具体例の場合と同様に任意に設定することが可能である。
上記した本発明に係る当該疑似肩関節部１９０に於いて、関節脱臼が発生する代表的な形態としては、例えば、当該関節頭５が関節窩６に対して人間の体の前側に移動して脱臼する場合と、反対に、当該関節頭５が関節窩６に対して人間の体の後側に移動して脱臼する場合とが見られる。
一方、図１９（Ｂ）は、図１９（Ａ）の態様に於いて、当該関節頭５が矢印Ｔの方向に横方向に或は斜め方向に移動して脱臼状態が発生する場合の状況を示す斜視図である。
又、図２０（Ａ）及び図２０（Ｂ）は、本具体例に於ける当該疑似肩関節部１９０に於ける上記した特定の脱臼状態を発生させた状態を示す側面図及び上面図である。
即ち、当該疑似肩関節部１９０に於いては、その関節構造上、その他の関節に比べて比較的容易に脱臼し易い状態にあり、当該関節頭５が当該関節窩６の位置に対して前後方向或は左右方向に略水平に変位して関節窩６から離脱する事が多い。
上記した図２０（Ａ）及び図２０（Ｂ）は、そのような状況下で、当該関節頭５が、外力によって、矢印Ｔの方向にずれて、当該関節窩６の側壁部側に脱落して脱臼している状態を示している。  
本発明者が実際に作成した当該疑似肩関節構造体１９０のモデルに於ける上記した各構成の具体例を示す写真及びその脱臼発生状況を示す写真は、参考図の図４０及び図４１にそれぞれ示されている。
【００７４】
本発明に於ける当該疑似肩関節部１９０に於いて、一例として、図２０（Ａ）及び図２０（Ｂ）に示す様な脱臼状態が発生した場合に、当該関節部に対して脱臼整復処理する場合に、脱臼整復処理者は、図２０（Ａ）及び図２０（Ｂ）に示す矢印Ｓ或いはＴの方向に，当該上腕骨部１９２を外側若しくは内側に所定の角度で旋回させながら、当該脱臼した関節部の当該関節頭５を手で所定の引張伸長張力を掛けながら上方向に徐々に持ち上げて、当該関節窩６内に押し込み、その後、当該伸長張力を解除することにより、脱臼を整復させることが出来る。
つまり、本発明に於ける当該疑似関節構成体１は、脱臼整復処理に対して未経験の脱臼整復処理者、トレーナーに、当該特定の関節部に於ける特定の脱臼を整復処理する場合に、如何なる方向に、どのような力を印加して、どの程度当該脱臼した骨部を引張、どのようにして、当該脱臼した関節部の骨部を元の状態に戻すかについて、繰り返し実習、訓練を行う事が可能であり、当該未経験の脱臼整復処理者、トレーナーが短期間でその技術を習得することが出来るという効果を有するものである。
【００７５】
５．股関節に対応した疑似関節構造体：
次に、本発明に於ける、股関節に対応した当該疑似股関節構造体２２０の構成の一具体例を以下に示す。
即ち、図２１に示す様に、一般的な人間の股関節２１０は、骨盤の左右側縁側に有る寛骨２１１の一部に形成された比較的深い、おわん形をした関節窩６に相当する寛骨臼窩２１２と当該寛骨臼窩２１２内にはまり込む大腿骨部２１３の一方の端部に設けられた当該関節頭５に相当する大腿骨頭２１４とが相互に嵌合されて構成されている球関節である。
【００７６】
係る実際の股関節２１０に対応した本発明に係る当該疑似股関節構造体２２０の構成の一例としては、図２２（Ａ）乃至図２２（Ｄ）に示す様に、当該骨盤の左右側縁側に有る寛骨２１１の一部に相当し、その一部に設けられた比較的深い、おわん形をした関節窩６に相当する疑似寛骨臼窩２２２を有する疑似寛骨２２１と、当該大腿骨部２１３に対応する疑似大腿骨部２２３であって、その一端部に設けられた略球状を呈する当該上腕骨頭２１４に相当する関節頭５である当該疑似上腕骨頭２２４とから構成されたものであって、且つ当該疑似上腕骨頭２２４と当該疑似寛骨臼窩２２２とが、適宜の接圧力の下に、その両者が相互に接合され、且つ嵌合しあって当該疑似股関節２２０が形成されているものである。
【００７７】
本発明に係る当該疑似股関節構造体２２０の構成の一具体例に付いて、更に詳細に説明するならば、本発明に於ける当該関節窩６に相当する疑似寛骨臼窩２２２を有する適宜の形状に形成された当該疑似寛骨２２１を、適宜の中空状内部形状を有する補助支持手段２４０の一部の表面に適宜の固定手段２４１を介して固定して取り付けると共に、当該補助支持手段２４０内の内壁の一部に、その一端部２４２を適宜の固定手段２７０を介して取り付けられた少なくとも１本、好ましくは２本の、所定の伸度、伸長回復率を有する伸縮性弾発部材２４を配置せしめ、当該それぞれの伸縮性弾発部材２４の他方の端部２４３に適宜の強度或は伸度を有する連結部材２１の一端部を接続させ、当該連結部材２１の他方の端部２４４を当該第１の補助支持手段２４０の表面部に形成された穴部若しくはスリット２４５を貫通させて、且つ当該疑似寛骨２２１に形成されている疑似寛骨臼窩２２２に相当する底面部Ｗに設けられている挿通穴３００を通って、当該関節頭５である当該疑似上腕骨頭２２４の外表面に形成された挿通穴３０１を介して当該疑似上腕骨頭２２４の内部に導入されそこで、適宜の固定手段２４６によって、当該疑似上腕骨頭２２４の外部表面に接合固定されているものである。
【００７８】
本具体例に於ける当該挿通穴３００及び３０１は、適宜の大きさ及び形状を有するものであっても良く、好ましくは、後述する様に、所定の脱臼状態が意図的に形成され且つその状態を静止した状態で維持するため、所定の長さを有し且つ所定の方向に配置された長溝形状を有するものである。
例えば、当該疑似寛骨２２１に設けられている当該挿通穴３００の当該第１の補助支持手段２４０側に面している表面では、細長く短い溝状形状を呈しているが、その反対側面、つまり、当該関節頭５と接触する面に形成されている溝形状は、当該疑似寛骨臼窩２２２の略中央部からその端縁部に至る切り欠け溝の形状を呈しており、そこから当該連結部材２１が脱臼状態の際にすり抜けられる様な構造である事も好ましい具体例である。
即ち、当該関節頭５の変位方向を規定するための当該連結部材２１の移動方向を規制する様に、当該挿通穴３００長めのスリット状の溝部である事が望ましい。
当該スリット状溝部の形状や配置位置等に関しては、図２４にその具体例の一部が示されていると同時に、その構造例を撮影した参考写真である図４４及び図４５に示されている。
本発明に於ける当該具体例に於いては、当該伸縮性弾発部材２４は、一本だけでなく、２本若しくはそれ以上の複数本を使用する事が望ましい。
本発明に於ける当該具体例に於いては、係る構成を採用することによって、当該関節窩６と当該関節頭５とが、当該伸縮性弾発部材２４の伸長回復力により適宜の接圧力下に相互に嵌合しあって、正常な疑似股関節部２２０を構成している。
更に、本具体例に於いて使用される当該疑似関節窩６や当該疑似関節頭５の形状、寸法、或はその材質、固定方法、及び当該伸縮性弾発部材２４や当該連結部材２１の伸度、伸長力、強度等は、前記した具体例の場合と同様に任意に設定することが可能である。
【００７９】
一方、本発明に於ける具体例に於いては、後述する脱臼状態の形成並びに当該脱臼用体を一時的に保持する機能、更には、当該疑似股関節部２２０に発生する可能性の高い特定の幾つかの脱臼状態を、意図的に発生しえる様な機構を有している事も望ましい具体例である。
更に、本発明に係る当該具体例に於いては、当該疑似股関節部２２０に於いて、靭帯の影響が付加される場合と靭帯の影響が付加されない場合の状況を選択的に設定出来る様な特別の構成を採用している事も更に好ましい具体例の一つである。
本発明に於ける当該疑似股関節部２２０に於いて、良く発生する形の脱臼の構造の一例としては、図２５に示されている様に、当該関節頭５が当該関節窩６の凹陥部２２２から脱落して、当該疑似寛骨２２１の側壁部外の部位に転落している状態である。
【００８０】
係る本発明の具体例を詳細に説明するならば、図２２（Ａ）乃至図２３（Ｃ）に示す様に、当該伸縮性弾発部材２４に平行して、当該伸縮性弾発部材２４の伸度、伸長回復率等が異なる別の伸縮性弾発部材２４’を配置し、当該別の伸縮性弾発部材２４’の一方の端部２４２’を適宜の固定手段２７０’を介して当該第一の補助支持手段２４０内の内壁の一部に取り付けると共に、当該伸縮性弾発部材２４’の他方の端部２４３’に適宜の強度或は伸度を有する別の連結部材２１’の一端部を接続させ、当該別の連結部材２１’の他方の端部２４４’を当該第１の補助支持手段２４０の表面部に形成された穴部若しくはスリット２４５を貫通させて、且つ当該疑似寛骨２２１の底面部Ｗに設けられている適宜の挿通穴３０２を通って、当該関節窩６である当該疑似寛骨２２１の外表面近傍に設けられたに形成された出口穴３０３から外部に出て、当該疑似上腕骨頭２２４の表面湾曲状面に沿って配置された後、当該疑似上腕骨頭２２４上に形成された適宜の挿通穴３０４から当該疑似大腿骨部２２３内部に挿入され、そこで、適宜の接合手段２４６’により固定されているものである。
【００８１】
係る具体例においては、図２３（Ａ）に示されている当該疑似大腿骨部２２３の当該疑似上腕骨頭２２４に近接する部位に、適宜の深さ、長さを有する一対の溝部３１５、３１６を形成し、当該別の連結部材２１’を、図２３（Ｂ）の点線、若しくは図２３（Ｃ）の実線に示す様に、当該溝部３１５、３１６に係止させて配置した状態にある場合には、当該靭帯が有効に機能している状態を示す様にし、一方、当該別の連結部材２１’を図２３（Ｃ）の実線に示す様に、当該溝部３１５、３１６に係止させなで配置した状態にある場合には、当該靭帯が切断されているか有効に機能していない状態を示す様にすることが出来る（図４５参照）。
本発明に於ける上記した具体例に於いては、当該疑似股関節２２０の当該疑似大腿骨部２２３は、比較的自由に当該関節頭５である当該疑似上腕骨頭２２４を中心として、多方向に旋回、回転が出来る様になっている。
その際、当該疑似大腿骨部２２３が、当該疑似上腕骨頭２２４を中心として旋回した場合には、当該疑似大腿骨部２２３の当該疑似上腕骨頭２２４と接続されている近傍部分と当該疑似上腕骨頭２２４の外表面に、当該別の連結部材２１’が、巻き付けられる形態を示す。
本発明者が実際に作成した当該疑似股関節構造体２４０のモデルに於ける上記した各構成の具体例は、参考図の図４２、乃至図４４ に示されている。
【００８２】
本具体例に於いて、上記した様な、良く発生する脱臼の代表的な構成例を図２５に示す。
本具体例に於いて、当該疑似上腕骨頭２２４が当該疑似寛骨臼窩２２２から離脱して脱臼状態を発生させるには、当該疑似大腿骨部２２３を遥動旋回させながら、当該疑似上腕骨頭２２４を所定の方向、例えば矢印Ｓの方向に所定の押圧力を印加しながら、変位させると容易に脱臼状態が発生する。
この際、上記した様に、当該別の連結部材２１’を図２３（Ｂ）の点線若しくは図２３（Ｃ）の実線に示す様に、当該溝部３１５、３１６に係止させた状態に配置した場合には、当該靭帯が有効に機能している状態を示す態様であるので、当該印加すべき押圧力は、より強い力が要求される。
【００８３】
又、本具体例に於いては、当該脱臼の発生方向を予め定めた特定の方向に向けて発生する様に規制する事が可能であり、その為に、図２４（Ａ）乃至図２４（Ｃ）等に示す様に、前記した特定の形状と特定の長さを有する溝部３０１、３０１’を当該疑似寛骨臼窩２２２の内面部で、且つ当該脱臼を発生させたい方向に向けて配置形成しておくと同時に、当該疑似上腕骨頭２２４の当該疑似寛骨臼窩２２２に接触する外表面に、特定の形状と特定の長さを有する溝部３０１、３０１’を当該溝部３００と対向する様に配置形成しておく事が望ましい。
係る当該溝部３０１、３０１’と当該溝部３００、３００’との形状や配置位置の相互関係等が本発明者が実際に作成した当該疑似股関節構造体２４０のモデルに於いて、どの様に具体化されているかに付いては、当該脱臼を表現している参考図の図４５に示されている。
係る構成を採用する事によって、図２５（Ａ）乃至図２５（Ｂ）に示す様に、当該連結部材２１は、当該伸縮性弾発部材２４を伸長させながら当該両溝部３００、３０１内を通過し、矢印Ｓの方向に沿って、伸びながら脱臼を所定の方向に容易に発生させる事が可能となる。
この際、当該別の連結部材２１’は、脱臼が発生するに際して、当該伸縮性弾発部材２４’を伸長させながら前進して当該疑似大腿骨部２２３の一部に巻きつく様になる。
従って、本発明に於いて、当該疑似上腕骨頭２２４を上記図示の脱臼方向と反対の方向に脱臼させた状態を発生させたい場合には、当該溝部３００と当該溝部３０１とを上記した図示の方向とは反対の方向に向けて当該疑似上腕骨頭２２４の外表面と当該疑似寛骨臼窩２２２の内部表面に配置形成すれば良い。
【００８４】
本発明に於ける当該疑似股関節２１０に於いて、一例として、上記した図２５に様な脱臼状態が発生した場合に、当該疑似股関節２１０に対して脱臼整復処理する場合には、脱臼整復処理者は、当該疑似大腿骨２２３を元の位置の方向に戻す様に動かしながら、当該疑似上腕骨頭２２４を一旦上方に、所定の張力を印加しながら引張上げ、その後、疑似上腕骨頭２２４を当該疑似寛骨臼窩２２２の内部方向に向けて移動させた後、当該印加された所定の引き上げ張力を開放することにより、当該脱臼が整復される。
つまり、本発明に於ける当該疑似関節構成体２１０は、脱臼整復処理に対して未経験の脱臼整復処理者、トレーナーに、当該特定の関節部に於ける特定の脱臼を整復処理する場合に、如何なる方向に、どのような力を印加して、どの程度当該脱臼した骨部を引張、どのようにして、当該脱臼した関節部の骨部を元の状態に戻すかについて、繰り返し実習、訓練を行う事が可能であり、当該未経験の脱臼整復処理者、トレーナーが短期間でその技術を習得することが出来るという効果を有するものである。
【００８５】
６．膝関節に対応した疑似膝関節構造体：
次に、本発明に於ける、膝関節に対応した当該疑似膝関節構造体２８０の構成の一具体例を以下に示す。
即ち、図２６（Ａ）及び図２６（Ｂ）に示す様に、一般的な人間の膝関節２６０は、大腿骨２６１の内側顆２６３と外側顆２６２及び脛骨２６４の内側顆２６５と外側顆２６６、それと膝蓋骨２６７とで構成されており、更に係る構成の膝関節部を外側側副靭帯（ＬＣＬ）２７０、内側側副靭帯（ＭＣＬ）２６９、前十字靱帯（ＡＣＬ）２７１、後十字靱帯（ＰＣＬ）２７２及び関節半月板２６８等で強固に保護されている。
当該膝関節２６０に於いて、当該大腿骨２６１の内側顆２６３と外側顆２６２の最下端部に形成された突起部が関節頭５、５’をそれぞれ構成し、又当該脛骨２６４の内側顆２６５と外側顆２６６に於ける上縁部の当該各関節頭５、５’に対応する部分６、６’が明確な凹部を形成しているものではないが、関節窩６に相当する。
【００８６】
係る実際の膝関節２６０に対応した本発明に係る当該疑似膝関節構造体２８０の構成の一例としては、図２７（Ａ）及び図２７（Ｂ）に示す様に、当該膝関節２６０の大腿骨２６１に相当する疑似大腿骨２８１であって、当該疑似大腿骨２８１の下端部２８２に当該内側顆２６３と外側顆２６２に相当する疑似内側顆２８３と外側顆２８４を形成し、当該各部の突起部を関節頭５、５’として機能させる様に構成した疑似大腿骨２８１と、当該脛骨２６４に相当する疑似脛骨２８５であって、当該疑似脛骨２８５の上端部２８６に当該内側顆２６５と外側顆２６６に相当する疑似内側顆２８７と外側顆２８８を形成し、当該各部の略平坦部を関節窩６、６’として機能させる様に構成した疑似脛骨２８５とを直列状に連結固定させ、更に、当該関節頭５、５’と関節窩６、６’とが相互に所定の適度の接圧応力が印加される様に構成されて当該疑似膝関節構造体２８０が構成されている。
【００８７】
本具体例に於ける当該疑似大腿骨２８１と当該疑似脛骨２８５との連結には、当該疑似大腿骨２８１内に設けられた或いは当該疑似大腿骨２８１に接続して設けられた適宜の補助支持部２９３内に配置された適宜の伸度、伸長特性を有するスプリング等からなる伸縮性弾発部材２４（第１の伸縮性弾発部材という）と当該伸縮性弾発部材２４に連結された適宜の強度或いは伸度を有する連結部材２１であって、その他方の端部が当該疑似脛骨２８５の一部の部位に適宜の接合固定手段を介して接続固定されている連結部材２１とによって、相互に引っ張られ、それぞれの連結部位に於いて、相互に適度の接圧応力が印加される様に構成されるものである。
【００８８】
本具体例に於いては、例えば、当該補助支持部２９３内に配置された当該第１の伸縮性弾発部材である適宜のスプリング２４の一端部を当該第１の補助支持部２９３の適宜の部位に於いて、適宜の固定手段２７を使用して固定配置すると同時に、当該スプリング２４の他方の端部には、適宜の強度或いは低い伸度を有する適宜の材料からなる連結部材２１を連結し、当該連結部材２１を、上記した当該疑似大腿骨２８１の内部空間部を挿通させた後、当該疑似大腿骨２８１の下端部２８２の近傍部位２８３、２８４に設けられた適宜の形状を有する穴若しくはスリット等２９４から当該疑似大腿骨２８１の外表面に導出させ、そのまま当該疑似膝関節構造体２８０の外表面を移行させた後、当該疑似脛骨２８５の上端部２８６に於ける適宜の部位に設けた挿入穴部或いは挿入スリット２９５から当該連結部材２１を当該疑似脛骨２８５の内部に導入させ、その部位で適宜の固定手段２８を介して固定保持する。
同様に、本具体例では、当該スプリング２４と略同様の特性を有する別のスプリング２４’（第２の伸縮性弾発部材という）を当該第１の伸縮性弾発部材２４と略同じ部位に略平行して配置し、当該第１の伸縮性弾発部材２４と同様に第２の連結部材２１’を連結し、当該連結部材２１’を、上記した当該疑似大腿骨２８１の内部空間部を挿通させた後、当該疑似大腿骨２８１の下端部２８２の近傍部位に設けられた適宜の形状を有する穴若しくはスリット等２９４’から当該疑似大腿骨２８１の外表面に導出させ、そのまま当該疑似膝関節構造体２８０の外表面を移行させた後、当該疑似脛骨２８５の上端部２８６に於ける適宜の部位に設けた挿入穴部或いは挿入スリット２９５’から当該連結部材２１’を当該疑似脛骨２８５の内部に導入させ、その部位で適宜の固定手段２８’を介して固定保持する。
【００８９】
係る本発明の具体例に於いては、当該第１の伸縮性弾発部材２４と当該第２の伸縮性弾発部材２４’とが当該疑似膝関節構造体２８０の外表面を一時的に走行する長さは、相互に同じでもよいが、相互に異なる様に構成する事も可能である。
即ち、本具体例に於いては、当該第１の伸縮性弾発部材２４と当該第２の伸縮性弾発部材２４’及び当該第１及び第２の連結部材２１、２１’とは、上記した他の具体例とは異なり、当該関節構造体に於ける靭帯或いは腱の機能を発揮する様に構成されているのである。
係る構成によって、当該疑似膝関節構造体２８０に於ける当該疑似大腿骨２８１の脱臼の方向に於ける変位の程度を左右で調整する事が可能となる。
本具体例に於ける当該個々の当該疑似大腿骨２８１と当該疑似脛骨２８５は当該第１の補助支持部２９３を含めて、前記した様な適宜の材料で略中空状の円筒体形或いは半円形の形成しており、それぞれの個別の形状、大きさ等は適宜決定する事が出来る。
【００９０】
更に、本発明に係る当該他の具体例に於いては、当該第１と第２の伸縮性弾発部材２４、２４’に平行して当該第１及び第２の連結部材２１、２１’と同一或いは異なる伸度、強度を有する補助線状体２９６、２９６’を配置し、当該各補助線状体２９６、２９６’の一方の端部５１、５１’を、当該伸縮性弾発部材２４、２４’の一端部３０が固定されている当該疑似大腿骨２８１の上端部に設けられている当該第１の補助支持体２９６の適宜の部位に於いて、適宜の固定手段５５、５５’を介して接合すると共に、当該補助線状体２９６、２９６’の他方の端部５２、５２’を、当該伸縮性弾発部材２４、２４’と当該連結部材２１、２１’との接合部に接合させた構成を採用するものである。
【００９１】
係る具体例に於いては、当該補助線状体２９６、２９６’は，上記した当該第１と第２の伸縮性弾発部材２４、２４’と当該第１及び第２の連結部材２１、２１’とが連結された構成で示される特定の靭帯或いは腱の機能を変化させる機能を有するものであって、当該靭帯或いは腱の拘束力を適宜調整する様に作用するものであっても良く、或いは、当該補助線状体２９６、２９６’が、当該縮性弾発部材２４と当該連結部材２１とで構成される線条体と接合されているか否かによって、当該縮性弾発部材２４と当該連結部材２１とで構成される線条体が示す靭帯又は腱の一部が切断されたか或いは損傷している状態と、正常な状態にある場合とを区別して表現する事も可能である。
従って、当該補助線状体２９６、２９６’の当該疑似大腿骨２８１の上端部に接合されている当該補助線状体２９６、２９６’のそれぞれの当該一端部５１、５１’は、当該第１の補助支持手段２９６に着脱自在に接合されている事が好ましい具体例である。
当該補助線状体２９６、２９６’を、当該疑似大腿骨２８１の上端部に着脱自在に接合させる為の具体的な構成は、特に限定されないが、例えば、上記した図６（Ｂ）に示す様な構成を採用するものであっても良い。
係る構成を採用することによって、本発明に係る当該補助線状体２９６、２９６’の当該一端部５１を当該疑似大腿骨２８１から離反させることにより、当該疑似膝関節構造体２８０関の脱臼状態に於いて、靭帯或いは腱が切断されている状態を顕出させる様に構成されているものである。
【００９２】
即ち、本具体例に於いては、当該疑似膝関節構造体２８０に於いて、当該補助線状体２９６、２９６’を当該疑似大腿骨２８１に対して着脱自在に接合固定しておく事によって、当該疑似膝関節部２８０に於ける靭帯或いは腱の機能が正常に機能している場合と、当該靭帯或いは腱が切断或いは破壊されてその機能が消失されている場合との状況を作り出せることになり、当該整復処理操作を体験、学習する人にとっては、上記した両方の脱臼状態に対処する整復処理操作を体験・実習する事が可能となる。
本具体例に於ける当該各構成部材等の材質、特性、形状、寸法等は、上記した各具体例に於いて使用されたものと同じものを使用する事が可能である。
つまり、本具体例の当該疑似膝関節構造体２８０に於いては、当該関節構造体２８０に於ける特定の当該靭帯或いは腱が切断されたか或いは損傷しているかに応じて、図２８に示す様に、当該関節頭５と当該関節窩６との接圧状態が変化して、当該関節頭５の当該関節窩６に対する対向位置が様々に変化することにより、脱臼状態が形成される。
尚、図２８中、図２８（Ａ）乃至図２８（Ｄ）は、当該疑似膝関節構造体２８０の正面から観察した当該関節部の脱臼状態を示す概略図であり、図２８（Ｅ）及び図２８（Ｆ）は、当該疑似膝関節構造体２８０の側面から観察した当該関節部の脱臼状態を示す概略図である。
更に、上記した本発明の具体例に於いては、当該膝関節部２６０に於ける特徴的構成である当該前十字靱帯２７１及び当該後十字靱帯２７２の存在が関節の強度に与える影響の少なくとも一部を実現させる為に、少なくとも２本の所定の強度或いは伸長率を有する補強線条体１３００、１３００’を当該前十字靱帯２７１及び当該後十字靱帯２７２に対応させて、当該疑似膝関節構造体２８０の内部に付加的に配置したものである。
【００９３】
即ち、具体的には、２本の補強線条体１３００、１３００’を相互に平行して当該疑似膝関節構造体２８０の内部に配置する際に、当該各補強線条体１３００、１３００’の一方の端部１３０１、１３０１’を当該疑似大腿骨２８１の上端部で、当該第１及び第２の伸縮性弾発部材２４、２４’が固定配置されている部位の近傍に着脱自在の接合手段１３０３、１３０３’を介して、取り付けると共に、当該各強線条体１３００、１３００’の他方の端部１３０２、１３０２’を当該疑似大腿骨２８１内部を通過させて、当該疑似大腿骨２８１の下端部２８２の下面に設けた適宜の開口部３０５、３０５’から外部に導出させ、その後、当該２本の補強線条体１３００、１３００’を適宜の形状で相互に交差させて、当該疑似脛骨２８５の上端部２８６の上表面に設けた適宜の開口部３０６、３０６’から当該疑似脛骨２８５内部に導入させ、当該疑似脛骨２８５内部に設けられた適宜の接合固定手段１３０４、１３０４’に固定接合するものである。
即ち、当該２本の補強線条体１３００、１３００’は、それぞれ前十字靱帯２７１及び当該後十字靱帯２７２としての機能を発揮するものであり、
【００９４】
係る構成を採用することによって、本発明に係る当該補強線条体１３００、１３００’の当該一端部１３０１、１３０１’を当該疑似大腿骨２８１から離反させることにより、当該疑似膝関節構造体２８０の脱臼状態に於いて、が切断されている状態を顕出させる様に構成されているものである。
上記した本具体例の当該疑似膝関節構造体２８０に於いては、当該関節構造体２８０に於ける脱臼状態の形状は、当該前十字靱帯２７１及び当該後十字靱帯２７２の存在の有無と言う条件が更に当該前十字靱帯２７１及び当該後十字靱帯２７２が有効に機能しているか否かの条件が加味される事により、図２８に示す様に、当該関節頭５と当該関節窩６との接圧状態が更に一層複雑に変化し多様化して、当該関節頭５の当該関節窩６に対する対向位置が更に複雑に変化することにより、多数の脱臼状態が形成される。
即ち、本具体例に於いては、当該疑似膝関節構造体２８０に於いて、当該補強線条体１３００、１３００’を当該疑似大腿骨２８１に対して着脱自在に接合固定しておく事によって、当該疑似膝関節部２８０に於ける当該前十字靱帯２７１及び当該後十字靱帯２７２の機能が正常に機能している場合と、当該前十字靱帯２７１及び当該後十字靱帯２７２が切断或いは破壊されてその機能が消失されている場合との状況を作り出せることになり、当該整復処理操作を体験、学習する人にとっては、上記した両方の脱臼状態に対処する整復処理操作を体験・実習する事が可能となる。
尚、図２７の（Ｂ）に於ける符号１３０５は、当該疑似脛骨２８５に形成された空間部であって、当該疑似脛骨２８５内部の各部材の設定や調整を行う為の作業領域として使用される。
【００９５】
本具体例に於いて、当該補強線条体１３００、１３００’の当該一端部１３０１、１３０１’を当該疑似大腿骨２８１の上端部に於いて当該疑似大腿骨２８１に対して着脱自在に接合固定する方法は特に限定されるものではなく、公知の結合手段１３０３、１３０３’が採用可能であるが、その一例としては、図２７（Ｃ）に於ける当該疑似大腿骨２８１を上から見た平面図に示す様に、当該補強線条体１３００、１３００’の本体部が主として通過しる開口部３６０、３６０’を設けると共に、当該補強線条体１３００、１３００’の一端部に、当該補強線条体１３００、１３００’の本体部の直径よりも大きい直径を有する膨大部１３０１、１３０１’を設け、当該開口部３６０、３６０’の直径を、例えば、当該補強線条体１３００、１３００’の一端部に形成された当該膨大部１３０１、１３０１’の直径よりも大きい直径を有する様に設定し、一方、当該開口部３６０、３６０’の周縁部の一部から、当該補強線条体１３００、１３００’の本体部の直径よりも大きくかつ当該膨大部１３０１、１３０１’直径よりも小さい幅を有するＬ字状のスリット部３６１、３６１’を連接し、当該スリット部３６１、３６１’に当該側膨大部１３０１、１３０１’を設け、当該補強線条体１３００、１３００’の一端部に形成された当該膨大部３０１、３０１’を当該スリット部３６１、３６１’に係止せしめることにより、当該補強線条体１３００、１３００’を当該疑似大腿骨２８１の上端部に固定的に接続させ、又、当該補強線条体３００、３００’の一端部に形成された当該膨大部１３０１、１３０１’を当該開口部３６０、３６０’から離脱させる事により当該補強線条体１３００、１３００’を当該疑似大腿骨２８１の上端部から離反させることが可能になる。
【００９６】
本具体例に於いては、当該当該補強線条体１３００と１３００’とを同時に当該疑似大腿骨２８１に対して着脱させてもよく或いはその一方のみを当該補助線状体２９６、２９６’当該疑似大腿骨２８１に対して着脱させても良い。
同様に本具体例においては、当該補助線状体２９６と２９６’についても上記したと同様の操作を行うことが可能である。
然も、本具体例に於いては、上記したそれぞれの操作を個別に組み合わせることによって、多種多様な脱臼発生時の環境を設定することが可能となる。
本発明に於いては、図２８に示す様な、関節脱臼の発生形状に関するモデル状態が示されているが、本発明に於ける当該擬似膝関節構造体に於ける当該脱臼の発生形態は多様であって図２８に示されるものに限定されるものではない。
本発明者が実際に作成した当該疑似膝関節構造体２８０のモデルに於ける上記した各構成の具体例を撮影した写真は、参考図の図４６乃至図４７ に示されている。
【００９７】
本発明に於ける当該疑似膝関節２８０に於いて、上記した様な脱臼状態が発生した場合に、当該疑似膝関節２８０に対して脱臼整復処理する場合には、脱臼整復処理者は、当該疑似大腿骨２８１をその長手方向に、所定の張力を印加しながら引張上げ、変形した当該関節頭の部分を元の方向に戻しながら、当該印加した張力を開放することにより、当該脱臼が整復される。
その際、脱臼整復処理者は、実際の引張力や、変更方向、戻す際の押圧力等を当該疑似膝関節２８０を操作しながら、その感触を体得することが可能になり実際の整復処理を学ぶことが出来る。
つまり、本発明に於ける当該疑似膝節構成体２８０は、脱臼整復処理に対して未経験の脱臼整復処理者、トレーナーに、当該特定の関節部に於ける特定の脱臼を整復処理する場合に、如何なる方向に、どのような力を印加して、どの程度当該脱臼した骨部を引張、どのようにして、当該脱臼した関節部の骨部を元の状態に戻すかについて、繰り返し実習、訓練を行う事が可能であり、当該未経験の脱臼整復処理者、トレーナーが短期間でその技術を習得することが出来るという効果を有するものである。
【００９８】
次に、上記した本発明に於ける当該疑似膝関節構造体２８０の別の具体例として、当該疑似膝関節構造体２８０に膝蓋骨２６７に相当する擬似膝蓋骨４０２が追加され、当該擬似膝蓋骨４０２が脱臼した場合の整復処理操作を体験できる膝蓋骨つき擬似膝関節構造体４００の構成について図２９乃至図３０を参照しながら詳細に説明する。
当該膝関節に於いて、上記した通り、当該膝関節を保護する為の一つの構成として、当該膝関節の前方部に膝蓋骨２６７が設けられている。
そして、実際の当該膝蓋骨２６７は、大腿四頭筋と膝蓋筋とで上下方向に固定保持されており、又、内側膝蓋大腿靭帯と外側膝蓋大腿靭帯とで横方向の移動が制限される様に固定保持されている。
【００９９】
一方、当該膝蓋骨２６７は、例えば、膝蓋骨２６７に外部から何らかの強い外力が印加された場合に、上記した各靭帯の一部が破断するか、伸長されることによって、当該膝蓋骨２６７が、正常な位置から変位して脱臼状態が発生する。
当該脱臼状態は、その発生方向、発生の大きさ等は、当該脱臼が発生した場合の環境により大きく変化するものである。
そこで、本発明に於ける別の具体例では、係る膝蓋骨２６７に相当する擬似膝蓋骨４０２が脱臼した場合の状態を維持すると共に、当該疑似膝蓋骨４０２の脱臼を整復する為に、当該疑似膝蓋骨４０２をその脱臼した状態の位置から、元に存在した正常な関節内の部位に戻す際の操作方法や当該操作時にける張力の掛け方等を実習し、体験する事が可能な疑似膝関節構造体を提供するものである。
【０１００】
図２９（Ａ）及び図２９（Ｂ）は、上記した当該疑似膝関節構造体４００の一具体例の構成を示す図であって、図中、前記した当該膝関節２６０の大腿骨２６１に相当する疑似大腿骨２８１であって、当該疑似大腿骨２８１の下端部２８２に当該内側顆２６３と外側顆２６２に相当する疑似内側顆２８３と外側顆２８４を形成し、当該各部の突起部を関節頭５、５’として機能させる様に構成した疑似大腿骨２８１と、前記した当該脛骨２６４に相当する疑似脛骨２８５であって、当該疑似脛骨２８５の上端部２８６に当該内側顆２６５と外側顆２６６に相当する疑似内側顆２８７と外側顆２８８を形成し、当該各部の略平坦部を関節窩６、６’として機能させる様に構成した疑似脛骨２８５とを直列状に連結固定させ、更に、当該関節頭５、５’と関節窩６、６’とが相互に所定の適度の接圧応力が印加される様に構成されて当該疑似膝関節本体部４００を構成し、当該疑似膝関節本体部４００に於ける当該膝関節部４０１の外部表面の適宜の部位に於いて、膝蓋骨４０２を静止状態で配置すると共に、当該膝蓋骨４０２に所定の押圧力を印加することにより、当該膝蓋骨４０２を任意の方向に、且つ任意の距離で変位・移動が可能な状態で配置されている疑似膝関節本体部４００が示されている。
【０１０１】
本具体例に於ける当該疑似膝関節本体部４００の構成は、例えば、図２７に示す様な構造を有するものであってもよく、或いは、図３０に示す様な構成を有するものであっても良い。
即ち、図３０に示す当該疑似膝関節本体部４００の構成は、図２９に示す当該疑似膝関節本体部４００に付いて、当該膝蓋骨４０２が設けられている面とは反対側の面（つまり裏面）からみた裏面図であって、当該疑似大腿骨２８１の下端部２８２であって、当該関節頭５、５’を形成している部分と該疑似脛骨２８５の上端部２８６であって、当該関節窩６、６’ を形成している部分とが、適切な接圧力によって相互に接合係合する様に設定する為に、上記した連続部材２１及び補強線条体１３００とは別に、さらなる接続線状体８１３、８１４を追加設定するものである。  
即ち、当該疑似大腿骨２８１の下端部２８２であって、当該関節頭５、５’を形成している部分の上側部近傍にその一端部８０１，８０２が固定されており、一方、その他方の端部８１１，８１２が当該疑似脛骨２８５の上端部２８６であって、当該関節窩６、６’ を形成している部分の下側部近傍に固定されている、２本の相互に且つ当該疑似大腿骨２８１の長手方向に平行に配置された第１の接続線状体８１３、８１４を設けるものである。
一方、本具体例に於いては、更に、該膝関節部４０１の左右側面に於ける外部表面に沿って個別に配置され、当該似大腿骨２８１の下端部２８２と当該疑似脛骨２８５の上端部２８６との適宜の部位間を連結している第２の接続線状体８０３、８０４を設ける事も可能であり、当該第２の接続線状体８０３、８０４は、前述した図２７における当該連続部材２１の一部を構成するものであっても良い事は言うまでも無い。
更に、本具体例に於いては、当該疑似大腿骨２８１の下端部２８２であって、当該関節頭５、５’を形成している面にその一方の端部８０５、８０６が固定されており、その他方の端部８０７、８０８が、当該疑似脛骨２８５の上端部２８６であって、当該関節窩６、６’ を形成している面に固定されている第３の接続線状体８０９、８１０であって、当該第３の接続線状体８０９、８１０は、当該関節頭５、５’が形成されている面と当該関節窩６、６’が形成されている面との間で相互にＸ字状に交差している第３の接続線状体８０９、８１０によって、当該関節頭５、５’と関節窩６、６’とが相互に所定の適度の接圧応力が印加される様に構成されているものであっても良い。
当該第３の接続線状体８０９、８１０は、図２７における当該補強線条体１３００、１３００’の一部を構成するものであっても良い事は、言うまでも無い。
本具体例の構成を撮影した写真が参考図である図４８に示されている。
【０１０２】
次に、本具体例に於ける当該膝蓋骨４０２を当該疑似膝関節本体部４００に係止させる構成の一具体例を図２９乃至図３１参照しながら詳細に説明する。
即ち、本具体例に於ける当該膝蓋骨４０２は、当該疑似膝関節本体部４００に於ける当該疑似大腿骨２８１の上端部４６０に設けられている適宜の接合固定手段（第１の補助支持部）４０６にその一端部４０３が接合固定されている所定の伸度或は所定の伸長回復率を有する適宜のスプリング手段を含む、伸縮性弾発部材４０７の他方の端部４０３’に、一方の端部が接続固定され、他方の端部が当該疑似膝関節本体部４００に於ける当該疑似脛骨２８５の上端部２８６近傍の適宜の部位（第２の補助支持部）に接続固定されている１本若しくは複数本の互いに並行状態に配置されている第４の接続線状体４０５，４０５’の所定の部位に取り付けられている。
本具体例に於いては、通常の膝関節部の状態であれば、当該膝蓋骨４０２は、当該膝関節部４０１の前方正面の略中央部に位置しているものであるが、脱臼等の状況に於いては、その位置が適宜当該正常時の配置部位からずれることになる。
【０１０３】
より具体的に説明するならば、当該第４の接続線状体４０５は、当該伸縮性弾発部材４０７の他方の端部４０３’に接続固定されている部分から当該疑似脛骨２８５の方向に向けて、相互に平行な２本の接続線状体４０５、４０５’で構成されており、当該２本の各線状体４０５、４０５’に、適宜の厚みと幅を有する適宜の材質から構成された平板からなる調整板４２０が設けられており、当該当該２本の各線状体４０５、４０５’は、当該調整板４２０内をその平行状態を維持しながら通過し、当該膝蓋骨４０２に向かう様に構成されている。
本具体例に於ける当該調整板４２０は、当該２本の接続線状体４０５、４０５’間の相互の間隔を一定の距離に調整し且つ規制する機能を有するものであり、それによって、後述する様に、当該疑似膝蓋骨４０２が、当該第４の接続線状体４０５、４０５’に沿って、当該疑似膝関節本体部４００の長手方向に任意に摺動することが可能となる様に構成されているものである。
【０１０４】
その後、当該２本の接続線状体４０５、４０５’は、当該相互の平行状態を保持したまま、当該疑似膝蓋骨４０２の内を非固定の状態で通過し、最終的に、当該２本の接続線状体４０５、４０５’のそれぞれの他端部４１１、４１２が当該疑似膝関節本体部４００の当該疑似脛骨２８５に於ける上端部の適宜の部位に固定される。
係る構成により、当該膝蓋骨４０２は、当該２本の接続線状体４０５、４０５’に沿って、任意に摺動し、その配置位置を変化させる事が可能となる。
【０１０５】
更に、本具体例に於いては、図３１に示す様に、当該膝蓋骨４０２は、その配置位置を当該疑似膝関節本体部４００の長手方向と直交する方向に変位させたり、当該変位した位置で固定させたり、当該固定位置から開放させたりする機能を含んでいる。
即ち、図３１に示す様に、当該膝蓋骨４０２に近接する部位に於ける、少なくとも一方の当該第４の接続線状体４０５に適宜の接続固定手段５００を設け、当該接続固定手段５００に適宜の太さ、強度、伸長率、伸縮性等を有する適宜の長さからなる第５の接続線状体５０１の一方の端部５０２を接続させ、当該第５の接続線状体５０１の他方の端部５０３に適宜の膨出部５０４を設け、当該第５の接続線状体５０１の他方の端部５０３を、当該疑似膝関節本体部４００の当該疑似大腿骨２８１の下端部２８２近傍に設けた適宜の係止部材５０５に着脱自在に係合接合出来る様に構成するものである。
当該適宜の係止部材５０５の構成は特に限定されるものではないが、例えば、切溝、穴部、スリット等の手段が使用可能である。
【０１０６】
本具体例では、当該第５の接続線状体５０１の他方の端部５０３を当該係止部材５０５に係止させることにより、当該第５の接続線状体５０１の予め設定された長さに応じて、当該疑似膝蓋骨４０２の配置位置を正常な状態の位置から左の方向に変位させることが出来る。
又、当該第５の接続線状体５０１の他方の端部５０３を当該係止部材５０５との係止状態を解消させることにより、当該疑似膝蓋骨４０２の配置位置を正常な状態の位置まで戻す事が可能となる。
係る構成により、当該疑似接骸骨４０２の配置位置は、脱臼の状況に応じて、その正常な配置位置から上下・左右に変位させることが可能である。
上記した本発明に於ける当該具体例に於ける各部材の寸法、形状、特性或は材質等は上記した別の各具体例の場合と同様である。
【０１０７】
上記した本発明に於ける詳細な疑似関節構造体の構成から明らかな通り、本発明に係るかる当該個々の部位に於ける当該疑似関節構造体は以下の様な基本的な構成を有するものである。
即ち、当該指疑似関節部に於いては、実際の人体に於ける個々に対応するそれぞれの指を構成する、それぞれに規定された特定個数（複数個）の指疑似骨部材群のそれぞれに対応する指疑似骨部材群が、その中心線に沿って、略直列状に配置形成されており、且つ、当該それぞれの相互に隣接して配置されている個々の当該指疑似骨部材は、手の甲側に位置する第１の指疑似骨部材の近傍に配置された、当該伸縮性弾発部材に係合する当該連結部材の一方の端部と、当該各指部の先端部位に配置された第Ｎ番目の指疑似骨部材の先端部近傍に接合固定されている当該連結部材の他方の端部との間で、相互に接圧状態に置かれており、更に、当該それぞれの相互に隣接して配置されている個々の当該指疑似骨部材のそれぞれの接合端部に形成されている当該関節頭若しくは当該関節窩の少なくとも一部には、当該連結部の少なくとも一部が貫通する様に構成された少なくとも一つの貫通穴部若しくは貫通溝部が設けられている、という構成を有するものである。
【０１０８】
一方、本発明に係る当該疑似関節構造体が肘疑似関節構造体である場合には、以下の様な基本的な構成を有するものである。
即ち、当該肘疑似関節構造体は、当該関節頭と当該関節窩とが係合する関節係合部に対向する端部に、少なくとも一つの疑似上腕骨小頭と隣接して配置されている２個の膨出した疑似上腕骨滑車とが形成された一本の疑似上腕骨部と、それらに対向して、当該関節係合部に隣接配置されている、当該一方の疑似上腕骨滑車と係合する疑似関節環状面部をその一方の端部に有する疑似橈骨と、当該他方の疑似上腕骨滑車と係合する疑似滑車切痕をその一方の端部に有する疑似尺骨とで構成され、且つ当該両者が所望の接圧応力の下で相互に接合固定されていると共に、当該２個の膨出した疑似上腕骨滑車のそれぞれ及び当該疑似滑車切痕並びに当該疑似関節環状面部の略中央部或いはその近傍部に、その内部空間と外気とが連通する連通穴部が設けられると共に、当該連通穴部と接合するか或いは当該連通穴部の近傍部に所定の長さで所定の方向に形成されたその内部空間と外気とを連通する貫通溝部とが配置形成されており、更に、当該疑似上腕骨部の他方の端部に設けられた適宜の固定部材に、適宜の伸度、伸長特性を有するスプリング等からなる伸縮性弾発部材の一方の端部が係合固定されており、当該伸縮性弾発部材の他方の端部は、当該疑似橈骨と当該疑似尺骨の他方の端部に共通して設けられている適宜の固定部材に一方の端部が固定されている２本の線状連結部材のそれぞれの他方の端部と連結されており、且つ、当該２本の線状連結部材の一方の線状連結部材は、当該疑似尺骨の内部から当該疑似滑車切痕部の当該連通穴部及び又は当該貫通溝部を経由して且つ当該一方の疑似上腕骨滑車に於ける当該連通穴部及び又は当該貫通溝部を経由して当該伸縮性弾発部材の一方の端部に連結されており、一方、他方の線状連結部材は、当該疑似橈骨の内部から当該当該疑似関節環状面部の当該連通穴部及び又は当該貫通溝部を経由して且つ当該他方の疑似上腕骨滑車に於ける当該連通穴部及び又は当該貫通溝部を経由して当該伸縮性弾発部材の一方の端部に連結されている、という構成を有するものである。
尚、上記構成に於いて、当該２本の線状連結部材が連続体で構成されている場合には、当該伸縮性弾発部材の一方の端部と当該線状連結部材との接合部に滑車手段が使用されている事も好ましい具体例である。
【０１０９】
更に、本発明に係る当該疑似関節構造体が肩疑似関節構造体である場合には、以下の様な基本的な構成を有するものである。
即ち、当該肩疑似関節構造体は、適宜の中空状内部形状を有する補助支持手段の一部の外表面に固定して取り付けられている凹状くぼみ部を外表面に有する関節窩を有する疑似肩甲骨と、当該関節窩と相互に係合嵌合する関節頭が一方の端部に形成されている疑似上腕骨部とから構成され、且つ当該両者が所望の接圧応力の下で相互に接合固定されており、且つ、当該補助支持手段内部には、その内壁の一部に設けられた適宜の固定手段を介して、その一端部固定把持されている少なくとも１本、好ましくは２本の、所定の伸度、伸長回復率を有する伸縮性弾発部材を配置せしめられており、更に、当該それぞれの伸縮性弾発部材の他方の端部には、適宜の強度或は伸度を有する１本或いは２本の連結部材のそれぞれの一端部が接続せしめられており、当該各連結部材のそれぞれの他方の端部は、当該補助支持手段に於ける当該疑似肩甲骨が取り付けられている側の表面に設けられ、当該疑似肩甲骨の両側面側に形成された１個又は２個の穴部にそれぞれ貫通させて、且つ当該関節窩の外表面側部を通過させた後、当該関節頭の表面に設
けられた適宜の個々に対応する固定手段に接合固定するか又、当該関節頭の表面に設けられた個々の適宜の個々に対応する貫通孔を介して当該関節頭内部に導入し、当該関節頭内部に設けられた適宜の個々に対応する固定手段に接合固定する様に構成されているものである。
又、上記の具体例に於いては、当該それぞれの伸縮性弾発部材に接合される２本の連結部材は、一本の連続した線状体で構成されている事も好ましい具体例であり、更に、当該それぞれの伸縮性弾発部材に接合される一連の連結部材も、一本の連続した線状体で構成されている事も好ましい他の具体例であり、その場合には、当該それぞれの伸縮性弾発部材と当該連結部材との接合部には滑車手段が設けられている事も望ましい具体例である。
【０１１０】
又、本発明に係る当該疑似関節構造体が股疑似関節構造体である場合には、以下の様な基本的な構成を有するものである。
即ち、当該股疑似関節構造体は、適宜の中空状内部形状を有する補助支持手段の一部の外表面に固定して取り付けられている疑似寛骨臼窩を有する疑似寛骨と、その一端部に疑似上腕骨頭が形成されている疑似大腿骨部とから構成されており、且つ当該両者が所望の接圧応力の下で相互に接合嵌合固定されており、且つ、当該補助支持手段内部には、その内壁の一部に設けられた適宜の固定手段を介して、その一端部固定把持されている少なくとも１本、好ましくは２本の、所定の伸度、伸長回復率を有する伸縮性弾発部材を配置せしめられており、更に、当該それぞれの伸縮性弾発部材の他方の端部には、適宜の強度或は伸度を有する１本或いは２本の線状の連結部材のそれぞれの一端部が接続せしめられており、当該各連結部材のそれぞれの他方の端部は、当該補助支持手段に於ける当該疑似寛骨が取り付けられている側の表面に設けられた穴部或いはスリット部（切溝）にそれぞれ貫通させた後、当該各線状連結部材のそれぞれを、当該疑似寛骨に形成されている疑似寛骨臼窩に相当する底面部に設けられている挿通穴を介して、当該疑似上腕骨頭の外表面に形成された挿通穴を経由して当該疑似上腕骨頭の内部に導入され、そこで、適宜の固定手段によって、当該疑似上腕骨頭の外部表面に接合固定されている様に構成されているものである。
そして、上記具体例に於いては、当該疑似大腿骨部の当該疑似上腕骨頭２２４に近接する部位に、適宜の深さ、長さを有し、且つ異なる方向に配列形成された複数個の溝部が設けられている事も望ましい具体例であり、更には、当該股疑似関節構造体は、当該伸縮性弾発部材に平行して、当該伸縮性弾発部材の伸度、伸長回復率等が異なる別の伸縮性弾発部材を配置し、当該別の伸縮性弾発部材の一方の端部を適宜の固定手段を介して当該補助支持手段内の内壁の一部に取り付けると共に、当該別の伸縮性弾発部材の他方の端部に適宜の強度或は伸度を有する別の線状の連結部材の一端部を接続させ、当該別の線状連結部材の他方の端部を当該補助支持手段の表面部に形成された穴部若しくはスリットを貫通させて、且つ当該疑似寛骨の底面部に設けられている適宜の挿通穴を通って、当該関節頭５の外表面近傍に設けられた出口穴から外部に出て、当該疑似上腕骨頭の表面湾曲状面に沿って配置された後、当該疑似上腕骨頭上に形成された適宜の挿通穴から当該疑似大腿骨部内部に挿入され、そこで、適宜の接合手段により固定されている事も好ましい具体例である。
更に、本具体例に於いて、当該一本の線状連結部材若しくは一本の別の線状連結部材に、複数本の当該伸縮性弾発部材若しくは複数本の当該別の伸縮性弾発部材が連結されている事も好ましい具体例である。
【０１１１】
更に、本発明に係る当該疑似関節構造体が膝疑似関節構造体である場合には、以下の様な基本的な構成を有するものである。
即ち、当該膝疑似関節構造体は、一方の端部先端部に、関節頭として機能する突起部がそれぞれ設けられている疑似内側顆と疑似外側顆が並列的に配置形成されている疑似大腿骨部と、当該疑似内側顆と当該疑似外側顆に個別に形成されている当該突起部のそれぞれと個別に嵌合係合し関節窩として機能しうる凹み状の平坦面を有する疑似内側顆と疑似外側顆とが一方の端部先端部に設けられた疑似脛骨とが、当該関節頭と当該関節窩とを介して直列状に、所望の接続圧力の下で、連結係合固定されている構成を有しており、且つ、両者の連結係合固定は、当該疑似大腿骨部内若しくはそれに接続して設けられている適宜の補助支持部内に配置され、その一方の端部が、当該補助支持部に接合固定されている、適宜の伸度、伸長特性を有する少なくとも一本、好ましくは２本の伸縮性弾発部材と、当該個々の伸縮性弾発部材の他方の端部に、一方の端部が連結された適宜の強度或いは伸度を有する線状の連結部材の他方の端部を、当該疑似大腿骨の内部空間部を挿通させた後、当該疑似大腿骨の下端部近傍部位に設けられた適宜の形状を有する穴若しくはスリット等から当該疑似大腿骨の外表面に導出させ、そのまま当該疑似膝関節構造体の外表面の片側若しくは両側面側を移行させた後、当該疑似脛骨の上端部の適宜の部位に設けた挿入穴部或いは挿入スリットから当該連結部材を当該疑似脛骨の内部に導入させ、その部位で適宜の固定手段を介して固定保持する様に構成されているものである。
上記具体例に於いては、当該１本若しくは２本の伸縮性弾発部材の何れか若しくはその双方に平行して当該線状の連結部材と同一或いは異なる伸度、強度を有する補助線状連結部材を更に配置、使用するものであり、当該各補助線状連結部材の一方の端部を、当該疑似大腿骨の上端部の適宜の部位に於いて、適宜の固定手段を介して着脱自在に接合係合させると共に、当該補助線状連結部材の他方の端部を、当該伸縮性弾発部材と当該線状連結部材との接合部に接合させた構成を採用する事は好ましい具体例であり、更には、２本の補強線条体を相互に平行して当該疑似膝関節構造体２８０の内部に配置する構成を有するものであって、当該各補強線条体の一方の端部は、当該補助支持部の上端部で、当該伸縮性弾発部材が固定配置されている部位の近傍に着脱自在の接合手段を介して、着脱自在に取り付けられていると共に、当該各補強線条体の他方の端部は、当該疑似大腿骨の内部を通過せしめられて、当該疑似大腿骨の下端部の下面に設けられた当該疑似内側顆と当該疑似外側顆内若しくはそれらの近傍部位に設けられた適宜の開口部から外部に導出させ、その後、当該２本の補強線条体を適宜の形状で相互に交差させた後に、当該疑似脛骨の上端部の上表面に設けた適宜の開口部から当該疑似脛骨内部に導入せしめ、当該疑似脛骨内部に設けられた適宜の接合固定手段に固定接合されているという構成を採用する事も望ましい具体例である。
又、本発明に係る当該膝疑似関節構造体に於いては、更に、疑似大腿骨部と当該疑似脛骨部との接合部の周縁部の一部と対向して、揺動可能な状態で配置されている膝蓋骨が設けられており、且つ当該膝蓋骨は、その一端部が適宜の固定部材に固定されている適宜の伸縮性弾発部材の他方の端部とその一方が接続されている１本或いは複数本の適宜の接続線状体のそれぞれの他方の端部と接合されていると共に、その他方の端部が当該疑似脛骨部の上端部近傍部に固定されている１本或いは複数本の適宜の別の接続線状体のそれぞれの一方の端部と接続されている様な構成を採用する事も好ましい具体例である。
上記具体例に於いても、当該伸縮性弾発部材と、当該線状の連結部との接合係合部には、適宜の滑車手段が設けられていても良い事は言うまでも無い。
【０１１２】
一方、本発明に係る当該疑似関節構造体が足首疑似関節構造体である場合には、以下の様な基本的な構成を有するものである。
即ち、当該足首疑似関節構造体は、下端部に、疑似脛骨の疑似下端部関節面と、疑似腓骨の疑似下端部内面と、疑似脛骨の下端部内面並びに、疑似腓骨の疑似下端部内面とが一体的且つ連続的に形成され、疑似関節窩が形成されている疑似脚部と、当該疑似脚部に対して直交或いはそれに近い角度で交差接合されている疑似足先部であって、当該疑似足先部の一部に設けられている疑似距骨の上面に形成された疑似関節頭の機能を有する疑似距骨滑車を介して、当該疑似脚部と当該疑似足先部とが所望の接圧応力の下で相互に接合嵌合固定されており、且つ、当該疑似脚部と当該疑似足先部とは、当該疑似脚部の上方端部の適宜の部位に設けられた適宜の固定手段にその一端部が固定された当該伸縮性弾発部材を、当該疑似脚部の内部空間部内に配置すると同時に、当該伸縮性弾発部材の他方の端部に適宜の強度、伸度を有する適宜の線状の連結部材の一方の端部を接続させ、その他方の端部を当該疑似関節窩が形成されている疑似脚部の下端部に設けられている疑似拒腿関節の表面に形成された、一つ或いは複数個の穴部を介して一旦外部に導出された後、当該疑似関節頭が形成されている疑似拒骨の外表面に形成されている一つ或いは複数個の穴部若しくはスリット状の溝部を介して当該疑似足先部の内部空間内に導入され、疑似足先部の内面に設けられた適宜の固定手段を介して接続固定されている、という構成を有するものである。
更に、上記具体例に於いては、当該伸縮性弾発部材の当該他方の端部には、複数本の線状の連結部材の一方の端部のそれぞれが接続されており、当該複数本の線状の連結部材は、相互に平行に当該疑似脚部と当該疑似足先部の内部に配置されている事が好ましい具体例であり、一方、当該複数本の線状の連結部材は、一本の連続した線状の連結部材で構成されており、且つ当該線状の連結部材と当該伸縮性弾発部材との接合部には、適宜の滑車手段が設けられている様に構成する事も望ましい具体例である。
一方、本発明に係る当該足首疑似関節構造体は、下端部に、疑似脛骨の疑似下端部関節面と、疑似腓骨の疑似下端部内面と、疑似脛骨の下端部内面並びに、疑似腓骨の疑似下端部内面とが一体的且つ連続的に形成され、疑似関節窩が形成されている疑似脚部と、当該疑似脚部に対して直交或いはそれに近い角度で交差接合されている疑似足先部であって、当該疑似足先部の一部に設けられている疑似距骨の上面に形成された疑似関節頭の機能を有する疑似距骨滑車を介して、当該疑似脚部と当該疑似足先部とが所望の接圧応力の下で相互に接合嵌合固定されており、且つ、当該疑似脚部と当該疑似足先部とは、当該疑似脚部の上方端部の適宜の部位に設けられた適宜の固定手段にその一端部が固定された当該伸縮性弾発部材を、当該疑似脚部の内部空間部内に配置すると同時に、当該伸縮性弾発部材の他方の端部に適宜の強度、伸度を有する適宜の線状の連結部材の一方の端部を接続させ、その他方の端部を当該疑似関節窩が形成されている疑似脚部の下端部に設けられている疑似拒腿関節の表面に形成された、一つ或いは複数個の穴部を介して一旦外部に導出された後、当該疑似関節頭が形成されている疑似拒骨の外表面に形成されている一つ或いは複数個の穴部若しくはスリット状の溝部を介して当該疑似足先部の内部空間内に導入され、疑似足先部の内面に設けられた適宜の固定手段を介して接続固定されている様に構成されたものであっても良い。
上記具体例に於いては、当該伸縮性弾発部材の当該他方の端部には、複数本の線状の連結部材の一方の端部のそれぞれが接続されており、当該複数本の線状の連結部材は、相互に平行に当該疑似脚部と当該疑似足先部の内部に配置されている様に構成されたものであっても良く、更には、当該複数本の線状の連結部材は、一本の連続した線状の連結部材で構成されており、且つ当該線状の連結部材と当該伸縮性弾発部材との接合部には、適宜の滑車手段が設けられている事も好ましい具体例である。
【０１１３】
本発明に係る上記した個別の疑似関節構造体のそれぞれは、個別に製造して、個別的にそれが対応する人体の関節部位に於ける脱臼の整復技術の習得並びに訓練に使用するものであっても良く、複数種類の当該個々の疑似関節構造体を相互に長手方向に連結接続させて、対応する人体の個々の関節部位に於ける脱臼の整復技術の習得並びに訓練に使用するものであっても良い。
例えば、第１の態様として、図１９等に示されている当該肩疑似関節構造体１９０と図１０等に示されている当該肘疑似関節構造体１０１とをその長手方向に接続させるか、或いは更には、当該肘疑似関節構造体１０１と図８等で示されている当該指疑似関節構造体８０とを長手方向に接続させるか、更には、上記３者を相互に接続させて使用する事も可能である。
勿論、第２の態様として、図２２等に示されている当該股疑似関節構造体２２０と図２７等に示されている当該膝疑似関節構造体２８０とをその長手方向に接続させるか、或いは当該膝疑似関節構造体２８０と図１４等で示される足首疑似関節構造体１４１をその長手方向に接続させるか、更には、上記３者を相互に接続させて使用する事も可能である。
【０１１４】
次に、本発明に於ける上記第１の具体例の構成を実現させる関節脱臼整復技術習得装置１２０の例を図４９に示す。
即ち、図４９は、本発明に係る当該関節脱臼整復処理訓練用装置１２０の構成の概略を示す斜視図であって、基本的には、上記した構成を有する個々の疑似関節構造体から選択された複数種の当該疑似関節構造体群が長手方向に相互に連続して接合されている事を特徴とする関節脱臼整復処理訓練用装置１２０が示されている。
上記具体例を実用化した構成例の写真を参考図である図５２乃至図５７に示す。
本発明に係る当該関節脱臼整復処理訓練用装置１２０は、上記した様に、第１の具体例の構成を実現させる為の関節脱臼整復技術習得装置であって、その基本的構成は、  基板１２１を有し、当該基板１２１の上面部の略半分の領域は、滑り止め部材で被覆された平坦面部１２３と、当該基板１２１の残りの約半分の領域には、所定の高さを持ち、湾曲状に上方に、その一部を除き密閉状に膨出形成された格納庫部１２２が配置されており、且つ当該格納庫部１２２の内部には、疑似肩関節部の関節機能を制御する為のスプリング２４を含むスプリング機構部、即ち前記した第１の補助支持部１９２２の少なくとも一部が格納されており、更には、当該格納部１２２の、当該基板１２１の長手方向線に対向する部分１２５に形成された開口部１２６からは、当該スプリング機構部に連動する当該疑似肩関節部１９０の一部１９１が外方に突出せしめられており、更に当該疑似肩関節部１９０の外方端部１９１である、疑似上腕骨部１９２の先端部には、適宜の疑似肘関節部１０１と適宜の疑似指関節部８０とが、それぞれの疑似関節部の長手方向に沿って、且つ、それぞれの疑似関節構造体に使用される適宜の伸縮性弾発部材の端部を保持する為の個別の補助支持部材１２７乃至１２９を介して、直列状に接合一体化されており、且つ、それぞれの当該疑似関節部に於ける伸縮性弾発部材及び連結部材が配置されている部分１６０、１６２及び接続部分１６１は、円筒状中空体を呈する筒状体で被覆されており且つその外層部分は、例えば、人間の皮膚の外観、触感、色、弾力性に近似させた、弾性と伸縮性のある柔軟性のある例えば、発泡性を有する円筒状中空体を呈する合成樹脂膜状体１２４等で被覆されている。
【０１１５】
つまり、上記具体例に於いては、当該疑似肩関節部１９０の外方端部である、疑似上腕骨部の先端部内部には、当該疑似肘関節部１０１の機能を制御する為の別のスプリング機構部が内蔵され、当該疑似肘関節部外側にある疑似橈骨と疑似尺骨の内部には、当該別の伸縮性弾発部材及び連結ひも状部材を含むスプリング機構部１６３が設けられており更にその先端部には、当該連結ひも状部材が、当該疑似橈骨と当該疑似尺骨の内部の適宜の部位に固定されており、更に、当該疑似肘関節部の当該疑似橈骨と当該疑似尺骨の何れかの外方端部の内部には、当該疑似指関節部の機能を制御する為の更に別のスプリング機構部１６４が内蔵されると同時に、当該疑似指関節部が長手方向にかつ外方部に向けて接続形成されている事を特徴とする関節脱臼整復処理訓練用装置１２０が示されている。
当該スプリング機構部１６３の一具体例の構造の例を撮影した写真を参考図である図５８、図６１乃至図６３に示す。
尚、図４９に於ける具体例に於いて、当該肩疑似関節構造体１９０使用した疑似関節頭５と疑似関節窩６の構造は、図５１に示す様な構造のものを採用した。
上記した疑似関節頭５と疑似関節窩６の構造の例を撮影した写真を参考図である図５９、図６０および図６４乃至図６５に示す。
即ち、当該疑似関節頭５の外観構造は、上記で説明した様な形状を採るものであるが、当該疑似関  節窩６の構造は、当該疑似関節頭５と係合する凹部状に湾曲した凹み部６“‘の周縁部に近接して、当該疑似関節頭５が、当該疑似関節窩６から脱落しない様に案内する２つの独立して湾曲状に立設された保持案内部６’及び６”が配置されており、且つ当該一方の保持案内部６”は、他方の保持案内部６’よりも全体的に大きな寸法を有し、且つその壁状部の一部に、適宜の大きさの開口部が設けられているものである。
此処で、上記した本発明に係る当該関節脱臼整復処理訓練用装置１２０に於ける当該格納庫部１２２内に配置される当該第１の補助支持部１９２２に対応するスプリング機構部の他の構成例の概略を図５０を参照しながら詳細に説明する。
処で、上記本発明に於ける具体例に於いては、少なくとも２本の当該線条を有する連結部材２１を使用する場合には、後述する図６に示されている通り、一本の当該連結部材２１をその途中の略中央部位置で折り曲げて使用する事が可能であり、更には、当該線条を有する連結部材２１の略中央部位置で折り曲部と当該伸縮性弾発部材２４の他方の端部との接合部には、後述する図５０に示されている様な適宜の構造を持ったか滑車手段２０００を挿入配置せしめ、当該連結部材２１を連続した状態で使用することも好ましい具体例である。
又、更なる具体例としては、当該伸縮性弾発部材２４と当該連結部材２１をそれぞれ複数本づつ使用する場合にあっては、例えば、図５０に示される様に、複数個の滑車手段２０００を併用すると同時に、当該１本の連結部材２１を一連に循環させた後に、その端部同志を適宜の締め継ぎ手段１２００等を使用して固定させて使用するものであっても良い。
一方、本発明の具体例に於ける好ましいスプリング機構部１９２２としては、図５０にしめされている通り、平板状基板部２００１の長手方向左右端部に直立した一対の支持壁部１２７０、１２７０’が設けられており、当該一方の支持壁部１２７０の一部に２本の伸縮性弾発部材２４，２４’である適宜のスプリング部の一方の端部が係止せしめられており、且つ当該２本の伸縮性弾発部材２４，２４’のそれぞれの他方の端部には、適宜の滑車手段２０００、２０００’が取り付けられており、当該各滑車手段２０００、２０００’には、それぞれ当該連結紐状部材２１、２１’が摺動自在に係止せしめられている。
そして、本具体例に於ける特に特徴的な部分としては、当該結紐状部材２１、２１’が環状に連結されていて一本の連続した紐状体として使用されているものである。
つまり、本具体例に於いては、例えば、当該第１の滑車手段２０００から出発した当該結紐状部材２１は、当該支持壁部１２７０’に形成された貫通穴部１９３２を通過して、当該肩疑似関節構造体の当該関節頭５の表面の一部に形成された穴部１９３４から当該関節頭５の内部に導入された後、当該関節頭５の表面の一部に形成された別の穴部１９３５から当該関節頭５の外表面に導出せしめられ、その後、当該支持壁部１２７’に形成された別の貫通穴部１９３２を通過して、当該第２の滑車手段２０００’に至り、当該第２の滑車手段２０００’を周回した後、再び、当該支持壁部１２７０’に形成された更に別の貫通穴部１９３２を通過して、当該肩疑似関節構造体の当該関節頭５の表面の一部に形成された別の穴部１９３４から当該関節頭５の内部に再び導入された後、当該関節頭５の表面の一部に形成された更に別の穴部１９３５から当該関節頭５の外表面に導出せしめられ、その後、当該支持壁部１２７０’に形成された更に異な貫通穴部１９３２を通過して、当該第１の滑車手段２０００に至るが、その途中で、適宜の紐状体結束結合手段１２０を介して環状に形成されるものである。
上記した本発明に係る当該関節脱臼整復処理訓練用装置１２０に於けるスプリング制御機構の具体例の構成を撮影した写真を、参考図である図５３乃至５７に示す。
【０１１６】
以下に、本発明に於ける当該関節脱臼整復処理訓練用装置１２０の詳細なスペックと使用方法を具体的に説明する。
つまり、  本発明に於ける当該関節脱臼整復処理訓練用装置１２０は、肩関節や、肘関節或いは指関節等を脱臼した患者の当該脱臼関節を、元の正常な関節状態に戻すために、整復師が治療・施術を行うが、当該整復師が当該脱臼した関節を元の状態に戻すための治療・施術の操作や手順を、訓練し、体験し、体で覚える為の関節脱臼整復訓練装置であって、当該関節脱臼整復処理訓練用装置１２０の長さは、例えば、６００ｍｍ、幅が４００ｍｍで厚みが２０ｍｍ程度の基板１２１を有し、当該基板１２１の上面部の略半分の領域は、ゴム材或いは合成樹脂材からなる滑り止め部材で被覆された平坦面部１２３と、その残りの約半分の領域には、最大高さが１５０ｍｍ程度の湾曲状に、一部を除き密閉状に膨出形成された格納庫部１２２とで構成されており、且つ当該格納庫部１２２の内部には、疑似肩関節部の関節機能を制御する為のスプリング機構部の少なくとも一部が格納されており、さらには、当該格納庫部１２２の、当該基板の長手方向線に対向する部分１２５に形成された開口部１２６からは、少なくとも当該肩疑似関節構造体１９０の一部である疑似上腕骨部１９２が外方に突出した構造となっている。 
【０１１７】
此処で、本発明に於ける当該関節脱臼整復処理訓練用装置１２０の使用方法を説明するならば、例えば整復師訓練生が、脱臼した関節を整復する操作を練習する場合には、当該整復師訓練生は、先ず、当該基板１２１上の平坦部領域１２３に足若しくは膝をのせ、整復対象となっている対象骨部、例えば、肩関節が脱臼している場合には、疑似上腕骨部を手で持ち上げ、同時に別の足又は膝を当該湾曲状に膨出している格納庫部１２２の外表面に載せて、体の支持点を確保した上で、当該対象骨部を例えば、所定の方向にねじりながら、上方向に持ち上げて、脱臼した関節部を元の形に戻す操作を行い、係る操作を何回も繰り返して、脱臼整復施術の方法を体験し、覚える事が可能となる。
【符号の説明】
【０１１８】
１：疑似関節構造体
２：第１の疑似骨部材
３：第２の疑似骨部材
５：疑似関節頭
６：疑似関節窩
１’：関節構造体
２’：第１の疑似骨部材
３’：第２の疑似骨部材
４’：骨膜
５’：関節頭
６’：関節窩
７’：関節腔
８’：関節軟骨膜
１０’：一端部
１１’：一端部
１２’：関節包
１３’：線維膜
１４’：副靭帯
１５’：関節包内靭帯
２０：補助支持部
２１；連結部材
２２；補助支持枠部
２４；縮性弾発部材
２７；固定部材
２８；接合手段
２９；調整手段
３１；他端部
３２；切込溝部
３５；穴部
４０；ピン部
４２；カム部
５０；補助線状体
５１、５１’；一方の端部
５２；他方の端部
５５、５５’：固定手段
７１：中手骨
７２：基節骨
７３：中節骨
７４：末節骨
７５：中手指接間関節
７７：遠位指節間関節
７１５：節頭部
７２５：関節頭
７２６：関節窩
７３５：関接頭
７３６：関節窩
７４６：関節窩
８０：疑似指関節構造体
８１：第１の疑似骨部材
８２：第２の疑似骨部材
８３：第３の疑似骨部材
８４：第４の疑似骨部材
８５：補助支持部
８６：通過孔、穴部
８７：溝部
８９：関節環状面部
８１５：関接頭部
８２５：関節頭
８２６：関節窩
８３５：関節頭
８３６：関節窩
８７５：関節部
８７６：関節部
８７７：関節部
９０：腕尺関節
９１：上腕骨
９２：尺骨
９３：橈骨
９４：関節包
９５：上腕骨滑車
９６：滑車切痕
９７：上腕尺関節部
９８：上腕骨小頭
１００；人間の体
１０１：疑似肘関節構造体
１０４：疑似上腕骨部
１０６：疑似橈骨
１０７：疑似尺骨
１０８：疑似上腕尺関節部
１０９：疑似腕橈尺節部
１０９５：疑似上腕骨滑車
１０９６：疑似滑車切痕
１０９８：疑似上腕骨小頭
１０９９：疑似関節環状面部
１２０：関節脱臼整復訓練装置
１２００：締め継ぎ手段
１２１：基板
１２２：格納庫部
１２３：平坦面部
１２４：円筒状中空体を呈する合成樹脂膜状体
１２５：長手方向線に対向する部分
１２６：開口部
１２７：補助支持部材
１２８：補助支持部材
１２９：補助支持部材
１２７０、１２７０’ ：支持壁部
１３１：腓骨
１３２：脛骨
１３３：距骨
１３４：腿関節
１３５：脛骨の下関節面
１３６：脛骨の端部内面
１３７：腓骨の下端部内面
１３８：距骨滑車
１３００：補強線条体 
１３０１：一端部
１３０３：結合手段
１３０４：結合固定手段
１３０５：空間部
１４１：疑似脚関節構造体
１４２：疑似脚部
１４３：腓骨
１４４：脛骨
１４５：疑似距骨
１４７：内面
１４８：擬似距腿関節
１４９：疑似下端部内面
１５０：疑似距骨滑車
１５１：擬似足先部
１５２：底部
１５３：台座部
１５４：第１の中空状円筒体
１５５：第２の中空状円筒体
１５６：カム状部材
１５７：係止部
１６０：円筒状中空体を呈する筒状体
１６１：円筒状中空体を呈する筒状体
１６２：円筒状中空体を呈する筒状体
１６３：伸縮性弾発部材と連結部材との接続部分
１６４：伸縮性弾発部材と連結部材との接続部分
１８０：肩関節
１８１：肩甲骨
１８２：上腕骨部
１９０：疑似肩関節構造体
１９１：疑似肩甲骨
１９２：疑似上腕骨部
１９２２：補助支持手段
１９２７：固定手段
１９３０：一端部
１９３１：他方の端部
１９３２：穴部
１９３３：連結部材の他方の端部
１９３４：挿入穴部
１９３５：挿入穴部
２４５：空間部
２６０：膝関節
２６１：大腿骨      
２６２：外側顆
２６３：内側顆
２６４：脛骨
２６５：内側顆
２６６：外側顆
２６７：膝蓋骨
２６８：関節半月板
２６９：内側側副靭帯
２７０：外側側副靭帯
２７１：前十字靱帯
２７２：後十字靱帯
２８０：疑似膝関節構造体
２８１：疑似大腿骨
２８２：下端部         
２８３：疑似内側顆
２８４：外側顆
２８５：疑似脛骨
２８６：上端部
２８７：疑似内側顆
２８８：外側顆
２９３：補助支持部
２９４：近傍部位
２９４’：近傍部位
２９５：挿入穴部
２９５’：挿入穴部
２９６、２９６’：補助線状体
３００、３００’：挿入穴、切り溝部
３０１、３０１’：挿入穴
３０２、３０２’：挿入穴
３０３、３０３’：出口穴
３０４、３０４’：接合固定手段
３０５、３０５’：開口部
３０６、３０６’：開口部
３１５：溝部
３１６：溝部
３６０、３６０’：開口部
３６１、３６１’：Ｌ字状のスリット部
４００：擬似膝関節構造体
４０１：膝関節部
４０２：膝蓋骨
４０３：一端部
４０５、４０５’：第４の接続線状体
４０６：接合固定手段
４０７：伸縮性弾発部材
４１１、４１２：他端部
４２０：調整板
４６０：上端部
５００：接続固定手段
５０１：第５の接続線状体
５０２：一方の端部
５０３：他方の端部
５０４：適宜の膨出部
５０５：係止部材
６２８：疑似脛骨
８０１，８０２：一端部
８０３、８０４：第２の接続線状体
８０５、８０６：一方の端部
８０７、８０８：一方の端部
８０９、８１０：第３の接続線状体
８１１，８１２：他方の端部
８１３、８１４：第１の接続線状体
９００：腕橈尺節部
２０００：滑車手段
２００１：平板状基板部
【図１】
0006268335.tif 000002
【図２】
0006268335.tif 000003
【図３】
0006268335.tif 000004
【図４】
0006268335.tif 000005
【図５】
0006268335.tif 000006
【図６】
0006268335.tif 000007
【図７】
0006268335.tif 000008
【図８Ａ】
0006268335.tif 000009
【図８Ｂ】
0006268335.tif 000010
【図９】
0006268335.tif 000011
【図１０】
0006268335.tif 000012
【図１１Ａ】
0006268335.tif 000013
【図１１Ｂ】
0006268335.tif 000014
【図１２】
0006268335.tif 000015
【図１３】
0006268335.tif 000016
【図１４】
0006268335.tif 000017
【図１５Ａ】
0006268335.tif 000018
【図１５Ｂ】
0006268335.tif 000019
【図１６】
0006268335.tif 000020
【図１７】
0006268335.tif 000021
【図１８】
0006268335.tif 000022
【図１９Ａ】
0006268335.tif 000023
【図１９Ｂ】
0006268335.tif 000024
【図２０Ａ】
0006268335.tif 000025
【図２０Ｂ】
0006268335.tif 000026
【図２１】
0006268335.tif 000027
【図２２Ａ】
0006268335.tif 000028
【図２２Ｂ】
0006268335.tif 000029
【図２３Ａ】
0006268335.tif 000030
【図２３Ｂ】
0006268335.tif 000031
【図２４】
0006268335.tif 000032
【図２５Ａ】
0006268335.tif 000033
【図２５Ｂ】
0006268335.tif 000034
【図２６】
0006268335.tif 000035
【図２７】
0006268335.tif 000036
【図２８】
0006268335.tif 000037
【図２９】
0006268335.tif 000038
【図３０】
0006268335.tif 000039
【図３１】
0006268335.tif 000040
【図３２】
0006268335.tif 000041
【図３３】
0006268335.tif 000042
【図３４】
0006268335.tif 000043
【図３５】
0006268335.tif 000044
【図３６】
0006268335.tif 000045
【図３７】
0006268335.tif 000046
【図３８】
0006268335.tif 000047
【図３９】
0006268335.tif 000048
【図４０】
0006268335.tif 000049
【図４１】
0006268335.tif 000050
【図４２】
0006268335.tif 000051
【図４３】
0006268335.tif 000052
【図４４】
0006268335.tif 000053
【図４５】
0006268335.tif 000054
【図４６】
0006268335.tif 000055
【図４７】
0006268335.tif 000056
【図４８】
0006268335.tif 000057
【図４９】
0006268335.tif 000058
【図５０】
0006268335.tif 000059
【図５１】
0006268335.tif 000060
【図５２】
0006268335.tif 000061
【図５３】
0006268335.tif 000062
【図５４】
0006268335.tif 000063
【図５５】
0006268335.tif 000064
【図５６】
0006268335.tif 000065
【図５７】
0006268335.tif 000066
【図５８】
0006268335.tif 000067
【図５９】
0006268335.tif 000068
【図６０】
0006268335.tif 000069
【図６１】
0006268335.tif 000070
【図６２】
0006268335.tif 000071
【図６３】
0006268335.tif 000072
【図６４】
0006268335.tif 000073
【図６５】
0006268335.tif 000074